(57)【要約】【課題】各種情報およびサービスの提供可能な付加価値の高い画像コンテンツを提供する画像コンテンツ提供システムを提供する。【解決手段】所定のウェブサーバ３００に接続し、所定のウェブページにアクセスするための接続情報属性を有する画像コンテンツを所定の配布元から受け付ける受信部２５０と、画像コンテンツを記憶する画像コンテンツ記憶部２５２と、画像コンテンツを表示する表示制御部２２２と、表示制御部２２２に表示された画像コンテンツを選択する操作を受け付ける操作受付部２１８と、操作受付部２１８が画像コンテンツを選択する操作を受け付けたとき、画像コンテンツの接続情報属性に基づいて、ウェブサーバ３００のウェブページにネットワーク３を介してアクセスする接続部２６０と、ウェブサーバ３００のウェブページを閲覧する閲覧部２６４と、を備える。【選択図】図３
2008171081.tif 000002
【特許請求の範囲】
【請求項１】
所定のウェブサーバに接続し、所定のウェブページにアクセスするための接続情報属性を有する画像コンテンツを所定の配布元から受け付けるコンテンツ受付部と、
前記画像コンテンツを記憶するコンテンツ記憶部と、
前記画像コンテンツを表示する表示部と、
前記表示部に表示された前記画像コンテンツを選択するユーザの操作を受け付ける操作部と、
前記操作部が前記画像コンテンツを選択する操作を受け付けたとき、前記画像コンテンツの前記接続情報属性を取得する属性取得部と、
取得した前記接続情報属性に基づいて、前記ウェブサーバの前記ウェブページにネットワークを介してアクセスする接続部と、
前記ウェブサーバの前記ウェブページを前記ユーザに閲覧可能にする閲覧部と、を備える携帯端末装置。
【請求項２】
請求項１に記載の携帯端末装置において、
前記接続情報属性は、前記ウェブサーバへの認証用ログイン情報を含み、
前記接続部は、前記認証用ログイン情報を用いて、前記ネットワークを介して前記ウェブサーバに自動的にログインして前記ウェブページにアクセスする携帯端末装置。
【請求項３】
請求項１または２に記載の携帯端末装置において、
前記画像コンテンツを入手可能なコンテンツ提供ウェブサーバのコンテンツ提供ウェブページへの接続情報を受け付ける接続情報受付部と、
前記接続情報に基づき、前記コンテンツ提供ウェブサーバの前記コンテンツ提供ウェブページにネットワークを介してアクセスし、前記画像コンテンツをダウンロードする画像コンテンツ取得部と、を含み、
前記コンテンツ受付部は、前記画像コンテンツ取得部が取得した前記画像コンテンツを受け付ける携帯端末装置。
【請求項４】
請求項３に記載の携帯端末装置において、
前記コンテンツ提供ウェブサーバにアクセスするために必要な認証情報の入力を受け付ける認証情報受付部を備え、
前記画像コンテンツ取得部は、前記認証情報に基づき前記コンテンツ提供ウェブサーバにアクセスし、前記画像コンテンツをダウンロードする携帯端末装置。
【請求項５】
請求項４に記載の携帯端末装置において、
前記認証情報は、前記ユーザが所定の場所に行ったときに入手可能な情報である携帯端末装置。
【請求項６】
請求項３乃至５いずれかに記載の携帯端末装置において、
記録媒体に記録された前記接続情報を含む識別記号を読み取る読取部を含み、
前記接続情報受付部は、前記読取部が読み取った前記識別記号から前記接続情報を受け付ける携帯端末装置。
【請求項７】
請求項３乃至６いずれかに記載の携帯端末装置において、
予めユーザ登録したメールアドレス宛に届いた、接続情報が記述されたメールを受信するメール受信部と、
前記メール受信部が受信した前記メールに記述された前記接続情報の選択操作を受け付け、前記接続情報を取得する取得部と、を含み、
前記接続情報受付部は、前記取得部が取得した前記接続情報を受け付ける携帯端末装置。
【請求項８】
請求項１乃至７いずれかに記載の携帯端末装置において、
予めユーザ登録したメールアドレス宛に届いた、前記画像コンテンツが添付されたメールを受信する添付メール受信部を含み、
前記コンテンツ受付部は、前記添付メール受信部が受信したメールに添付された前記画像コンテンツを受け付ける携帯端末装置。
【請求項９】
請求項１乃至８いずれかに記載の携帯端末装置において、
画像コンテンツを収集し、前記コンテンツ記憶部に記憶する画像収集部と、
所定数の画像コンテンツが収集されたか否かを判定する判定部と、
前記所定数の画像コンテンツが収集されたと判定されるまで、前記画像コンテンツの前記接続情報属性を無効にするとともに、前記所定数の画像コンテンツが収集されたと判定されたとき、前記画像コンテンツの前記接続情報属性を有効にする属性制御部と、を備える携帯端末装置。
【請求項１０】
請求項９に記載の携帯端末装置において、
所定数の画像コンテンツが収集されたと判定されたとき、その旨をユーザ情報とともに、所定のサービス提供受付装置に通知する通知部を備える携帯端末装置。
【請求項１１】
請求項１乃至１０いずれかに記載の携帯端末装置において、
前記画像コンテンツに転送複製禁止属性を付与する属性付与部と、
前記転送複製禁止属性が付与された前記画像コンテンツを他の端末に出力する出力部と、を含む携帯端末装置。
【請求項１２】
請求項１１に記載の携帯端末装置において、
前記画像コンテンツの前記接続情報属性は、前記画像コンテンツの転送複製を許可するための所定のサーバの購入申請用ウェブページへの第２の接続情報を含み、
前記出力部は、前記購入申請用ウェブページへの前記第２の接続情報を含む前記接続情報属性を有する前記画像コンテンツを出力する携帯端末装置。
【請求項１３】
請求項１乃至１２いずれかに記載の携帯端末装置において、
前記画像コンテンツをメールに使用できる絵文字として登録する登録部を備える携帯端末装置。
【請求項１４】
請求項１３に記載の携帯端末装置において、
前記登録部に登録された前記画像コンテンツを絵文字として使用したメールまたは画像コンテンツを添付したメールの作成を受け付けるメール編集部と、
前記メールを宛先に送信するメール送信部と、を備える携帯端末装置。
【請求項１５】
請求項１乃至１４のいずれかに記載の携帯端末装置に画像コンテンツを提供する画像コンテンツ提供装置であって、
接続情報属性を有する前記画像コンテンツを記憶する画像コンテンツ記憶部と、
前記画像コンテンツを前記携帯端末装置に提供する提供部と、を備える画像コンテンツ提供装置。
【請求項１６】
請求項１５に記載の画像コンテンツ提供装置において、
前記画像コンテンツ記憶部は、所定のウェブサーバへの認証用ログイン情報を含む接続情報属性を有する画像コンテンツを記憶する画像コンテンツ提供装置。
【請求項１７】
請求項１５または１６に記載の画像コンテンツ提供装置において、
接続情報で特定されるコンテンツ提供ウェブページを記憶するコンテンツ提供ページ記憶部を含み、
前記提供部は、前記携帯端末装置が前記コンテンツ提供ウェブページにネットワークを介してアクセスしたとき、前記携帯端末装置からの要求に応じて、前記画像コンテンツをアップロードして提供する画像コンテンツ提供装置。
【請求項１８】
請求項１７に記載の画像コンテンツ提供装置において、
前記携帯端末装置に、認証情報を要求し、前記携帯端末装置から前記認証情報を受信し、受信した前記認証情報に基づき前記携帯端末装置を認証する認証部と、を備え、
前記提供部は、前記携帯端末装置が認証されなかったとき、前記画像コンテンツの提供を禁止し、認証された前記携帯端末装置に前記画像コンテンツを提供する画像コンテンツ提供装置。
【請求項１９】
請求項１７または１８に記載の画像コンテンツ提供装置において、
前記携帯端末装置のユーザのメールアドレスの登録を受け付けるアドレス登録受付部と、
予め登録された前記メールアドレス宛に、前記コンテンツ提供ウェブページへの前記接続情報を記述したメールを送信するメール送信部と、を備える画像コンテンツ提供装置。
【請求項２０】
請求項１５乃至１９いずれかに記載の画像コンテンツ提供装置において、
前記携帯端末装置のユーザのメールアドレスの登録を受け付けるアドレス登録受付部と、
予め登録された前記メールアドレス宛に、前記画像コンテンツを添付したメールを送信する添付メール送信部と、を備える画像コンテンツ提供装置。
【請求項２１】
請求項１５乃至２０いずれかに記載の画像コンテンツ提供装置において、
前記画像コンテンツ記憶部は、所定数の画像コンテンツが前記携帯端末装置にて収集されたときに、前記接続情報属性が有効となる前記画像コンテンツを記憶し、
前記提供部は、前記画像コンテンツを前記携帯端末装置に提供する画像コンテンツ提供装置。
【請求項２２】
請求項１５乃至２１いずれかに記載の画像コンテンツ提供装置において、
前記画像コンテンツ記憶部は、画像コンテンツの転送または複製を禁止する転送複製禁止属性を含む画像コンテンツを記憶する画像コンテンツ提供装置。
【請求項２３】
請求項２２に記載の画像コンテンツ提供装置において、
前記画像コンテンツ記憶部は、前記画像コンテンツの転送複製を許可するための購入申請用ウェブページへの第２の接続情報を含む接続情報属性を有する画像コンテンツを記憶し、
前記購入申請用ウェブページを記憶する購入申請ページ記憶部と、
前記購入申請用ウェブページにアクセスした前記携帯端末装置のユーザ認証を行う認証部と、
認証された前記携帯端末装置から前記画像コンテンツの購入申請を受け付ける購入申請受付部と、
前記認証された前記携帯端末装置のユーザに前記画像コンテンツの購入料金を課金する課金部と、
前記課金部により前記画像コンテンツに対する課金がなされたとき、当該画像コンテンツの前記転送複製禁止属性を転送複製許可に設定し、前記認証された前記携帯端末装置に送信する送信部と、を備える画像コンテンツ提供装置。
【請求項２４】
所定のウェブページを記憶するウェブサーバと、
請求項１乃至１４いずれかに記載の携帯端末装置と、
請求項１５乃至２３いずれかに記載の画像コンテンツ提供装置と、を備え、
前記ウェブサーバの前記ウェブページに接続するための接続情報属性を有する画像コンテンツを前記携帯端末装置に提供する画像コンテンツ提供システム。
【請求項２５】
請求項２４に記載の画像コンテンツ提供システムにおいて、
前記ウェブページは、一般には未公開のウェブページである画像コンテンツ提供システム。
【請求項２６】
請求項２４または２５に記載の画像コンテンツ提供システムにおいて、
前記画像コンテンツ提供装置の前記画像コンテンツ記憶部は、前記ウェブサーバへの認証用ログイン情報を含む接続情報属性を有する画像コンテンツを記憶し、
前記携帯端末装置は、前記認証用ログイン情報を用いて、前記ネットワークを介して前記ウェブサーバに自動的にログインする認証要求部を含み、
前記ウェブサーバは、前記携帯端末装置からのログインを受け付け、前記携帯端末装置を認証する認証部と、
前記認証部が前記携帯端末装置を認証したとき、前記携帯端末装置のログインを受け付け、前記携帯端末装置の前記閲覧部による前記ウェブページを閲覧可能にし、前記認証部が前記携帯端末装置を認証できなかったとき、前記ウェブページの閲覧を禁止する制御部と、を備える画像コンテンツ提供システム。
【請求項２７】
請求項２４乃至２６いずれかに記載の画像コンテンツ提供システムにおいて、
前記携帯端末装置は、所定数の画像コンテンツが収集されたと判定されたとき、その旨をユーザ情報とともに通知する通知部を含み、
前記携帯端末装置から通知されたユーザ情報と、前記画像コンテンツの収集結果を受け付ける収集結果受付部と、
前記収集結果に基づき、前記携帯端末装置のユーザに前記画像コンテンツの収集に対する対価として、景品、賞金、サービスなどの提供を許可する許可部と、を備える画像コンテンツ提供システム。
【請求項２８】
請求項２４乃至２７いずれかに記載の画像コンテンツ提供システムにおいて、
前記携帯端末装置は、
前記画像コンテンツに転送複製禁止属性を付与する属性付与部と、
前記転送複製禁止属性が付与された前記画像コンテンツを他の端末に出力する出力部と、を含み、
前記他の端末にて受け取った前記画像コンテンツの転送または複製を禁止させる画像コンテンツ提供システム。
【請求項２９】
請求項２８に記載の画像コンテンツ提供システムにおいて、
前記携帯端末装置から出力された前記画像コンテンツを受信する端末を含み、
前記端末は、
前記携帯端末装置から出力された前記画像コンテンツを受信する画像コンテンツ受信部と、
前記画像コンテンツ受信部が受信した前記画像コンテンツに前記転送複製禁止属性が付与されているか否かを判別する判別部と、
前記転送複製禁止属性が付与されている場合、前記画像コンテンツの転送または複製を禁止する禁止部と、
前記転送複製禁止属性が付与されていない場合、前記画像コンテンツの転送または複製を許可する許可部と、を含む画像コンテンツ提供システム。
【請求項３０】
請求項２８または２９に記載の画像コンテンツ提供システムにおいて、
前記画像コンテンツの転送複製を許可するための購入申請用ウェブページを記憶する購入申請ページ記憶部と、
前記購入申請用ウェブページにアクセスした端末のユーザ認証を行う認証部と、
認証された前記端末から前記画像コンテンツの購入申請を受け付ける購入申請受付部と、
前記認証された前記端末のユーザに前記画像コンテンツの購入料金を課金する課金部と、
前記課金部により前記画像コンテンツに対する課金がなされたとき、当該画像コンテンツの前記転送複製禁止属性を転送複製許可に設定し、前記認証された前記端末に送信する送信部と、を有する購入申請用ウェブサーバを備え、
前記画像コンテンツ提供装置の前記提供部は、前記購入申請用ウェブページへの第２の接続情報を含む前記接続情報属性を有する前記画像コンテンツを前記携帯端末装置に提供し、
前記携帯端末装置の前記出力部は、前記購入申請用ウェブページへの前記第２の接続情報を含む前記接続情報属性を有する前記画像コンテンツを前記端末に出力し、
前記端末は、
前記携帯端末装置から前記画像コンテンツを受信する受信部と、
前記画像コンテンツを表示する表示部と、
前記画像コンテンツの選択操作を受け付ける受付部と、
前記画像コンテンツを選択する操作を受け付けたとき、前記画像コンテンツの前記接続情報属性に基づいて、前記購入申請用ウェブサーバにネットワークを介して接続し、前記購入申請用ウェブページにアクセスする接続部と、
前記購入申請用ウェブサーバにログインし、前記画像コンテンツの購入申請を行い、購入料金の支払い手続きをするための操作を受け付け、前記購入申請用ウェブサーバに前記ネットワークを介して操作を行う操作処理部と、
前記画像コンテンツの購入手続きが完了したとき、前記購入申請用ウェブサーバから前記転送複製禁止属性が付加されていない画像コンテンツをダウンロードする受信部と、
ダウンロードされた前記画像コンテンツを記憶するコンテンツ記憶部と、を含む画像コンテンツ提供システム。
【請求項３１】
コンテンツ記憶部、表示部、および操作部を備える携帯端末装置に画像コンテンツを提供する画像コンテンツ提供方法であって、
所定のウェブサーバのウェブページに接続するための接続情報属性を有する画像コンテンツを所定の配布元の画像コンテンツ記憶部に記憶し、
所定の配布元にて前記画像コンテンツ記憶部から前記携帯端末装置が前記画像コンテンツを受け付け、
前記携帯端末装置が前記画像コンテンツを前記コンテンツ記憶部に記憶し、
前記携帯端末装置が前記画像コンテンツを前記表示部に表示し、
前記携帯端末装置の前記操作部により前記表示された前記画像コンテンツを選択するユーザの操作を受け付け、
前記画像コンテンツを選択する操作を受け付けたとき、前記携帯端末装置の前記接続部が、前記画像コンテンツに付与された前記接続情報属性に基づいて、前記ウェブサーバの前記ウェブページに前記ネットワークを介してアクセスし、
前記携帯端末装置にて前記ウェブサーバの前記ウェブページを閲覧可能にする画像コンテンツ提供方法。
【請求項３２】
請求項３１に記載の画像コンテンツ提供方法において、
前記接続情報属性は、前記ウェブサーバへの認証用ログイン情報を含む画像コンテンツ提供方法。
【請求項３３】
請求項３１または３２に記載の画像コンテンツ提供方法において、
前記画像コンテンツを入手可能なコンテンツ提供ウェブページを記憶するコンテンツ提供ウェブサーバを準備し、
前記携帯端末装置は、
前記コンテンツ提供ウェブサーバへの接続情報を受け付け、
前記携帯端末装置は、前記接続情報に基づき、前記コンテンツ提供ウェブサーバの前記コンテンツ提供ウェブページにネットワークを介してアクセスし、
前記画像コンテンツをダウンロードし、
ダウンロードした前記画像コンテンツを受け付ける画像コンテンツ提供方法。
【請求項３４】
請求項３３に記載の画像コンテンツ提供方法において、
前記携帯端末装置に、認証情報を要求し、
前記携帯端末装置が、前記コンテンツ提供ウェブサーバにアクセスするために必要な認証情報の入力を受け付け、前記認証情報に基づき前記コンテンツ提供ウェブサーバにアクセスし、
前記携帯端末装置から前記認証情報を受信し、受信した前記認証情報に基づき前記携帯端末装置を認証し、
前記携帯端末装置が認証されなかったとき、前記画像コンテンツの提供を禁止し、認証された前記携帯端末装置に前記画像コンテンツを提供する画像コンテンツ提供方法。
【請求項３５】
請求項３４に記載の画像コンテンツ提供方法において、
前記認証情報は、前記ユーザが所定の場所に行ったときに入手可能な情報である画像コンテンツ提供方法。
【請求項３６】
請求項３３乃至３５いずれかに記載の画像コンテンツ提供方法において、
前記接続情報を含む識別記号を記録した記録媒体を準備し、
前記携帯端末装置が、前記記録媒体から前記識別記号を読み取り、読み取った前記識別記号から前記接続情報を受け付ける画像コンテンツ提供方法。
【請求項３７】
請求項３３乃至３６いずれかに記載の画像コンテンツ提供方法において、
前記携帯端末装置が、
予めユーザ登録したメールアドレス宛に届いた、前記接続情報が記述されたメールを受信し、
受信した前記メールに記述された前記接続情報の選択操作を受け付け、
前記接続情報を取得し、
取得した前記接続情報を受け付ける画像コンテンツ提供方法。
【請求項３８】
請求項３７に記載の画像コンテンツ提供方法において、
前記携帯端末装置が、
前記メールアドレス宛に届いた前記メールを受信し、
前記メールに添付された前記画像コンテンツを受け付ける画像コンテンツ提供方法。
【請求項３９】
請求項３１乃至３８いずれかに記載の画像コンテンツ提供方法において、
前記画像コンテンツの前記画像コンテンツ記憶部は、所定数の画像コンテンツが前記携帯端末装置にて収集されたときに、前記接続情報属性が有効となる前記画像コンテンツを記憶し、
前記携帯端末装置が、
前記画像コンテンツを収集し、前記画像コンテンツ記憶部に記憶し、
前記所定数の画像コンテンツが収集されたか否かを判定し、
前記所定数の画像コンテンツが収集されたと判定されるまで、前記画像コンテンツの前記接続情報属性を無効にするとともに、前記所定数の画像コンテンツが収集されたと判定されたとき、前記画像コンテンツの前記接続情報属性を有効にする画像コンテンツ提供方法。
【請求項４０】
請求項３９に記載の画像コンテンツ提供方法において、
前記携帯端末装置が、前記所定数の画像コンテンツが収集されたと判定されたとき、その旨をユーザ情報とともに所定のサービス提供受付装置に通知する画像コンテンツ提供方法。
【請求項４１】
請求項３１乃至４０いずれかに記載の画像コンテンツ提供方法において、
前記携帯端末装置が、前記画像コンテンツに転送複製禁止属性を付与し、
前記携帯端末装置から前記転送複製禁止属性が付与された前記画像コンテンツを他の端末に出力し、
前記他の端末にて受け取った前記画像コンテンツの転送または複製を禁止させる画像コンテンツ提供方法。
【請求項４２】
請求項４１に記載の画像コンテンツ提供方法において、
端末が前記携帯端末装置から出力された前記画像コンテンツを受信し、
受信した前記画像コンテンツに前記転送複製禁止属性が付与されているか否かを判別し、
前記転送複製禁止属性が付与されている場合、前記画像コンテンツの転送または複製を禁止し、
前記転送複製禁止属性が付与されていない場合、前記画像コンテンツの転送または複製を許可する画像コンテンツ提供方法。
【請求項４３】
請求項４１または４２に記載の画像コンテンツ提供方法において、
前記画像コンテンツの転送複製を許可するための購入申請用ウェブページを記憶する購入申請ページ記憶部を購入申請用ウェブサーバに準備し、
前記携帯端末装置が、前記購入申請用ウェブページへの第２の接続情報を含む前記接続情報属性を有する前記画像コンテンツを受け付けた後、前記購入申請用ウェブページへの前記第２の接続情報を含む前記接続情報属性を有する前記画像コンテンツを端末に出力し、
前記端末が、前記携帯端末装置から前記画像コンテンツを受信し、
前記端末の表示部に前記画像コンテンツを表示し、
前記端末の操作部が前記画像コンテンツの選択操作を受け付け、
前記画像コンテンツを選択する操作を受け付けたとき、前記画像コンテンツの前記接続情報属性に基づいて、前記端末が、前記購入申請用ウェブサーバにネットワークを介して接続し、前記購入申請用ウェブページにアクセスし、
前記端末が、前記購入申請用ウェブサーバにログインし、
前記購入申請用ウェブサーバが前記端末のユーザ認証を行い、
前記端末を用いて前記ユーザが前記購入申請用ウェブページに従って前記画像コンテンツの購入申請を行い、
前記購入申請用ウェブサーバが認証した前記端末から前記画像コンテンツの購入申請を受け付け、
前記認証された前記端末のユーザに前記画像コンテンツの購入料金を課金し、
前記画像コンテンツに対する課金がなされたとき、当該画像コンテンツの前記転送複製禁止属性を転送複製許可に設定し、該画像コンテンツを前記認証された前記端末に送信し、
前記端末が前記購入申請用ウェブサーバから前記画像コンテンツをダウンロードして受け付け記憶部に記憶する画像コンテンツ提供方法。
【請求項４４】
請求項３１乃至４３いずれかに記載の画像コンテンツ提供方法において、
前記画像コンテンツは、前記携帯端末装置において、メール作成時に使用可能な絵文字として登録できる画像コンテンツ提供方法。
【請求項４５】
請求項３１乃至４４いずれかに記載の画像コンテンツ提供方法において、
所定の宛先に前記画像コンテンツを添付または絵文字として使用してメールを作成し、送信する画像コンテンツ提供方法。
【請求項４６】
表示部、操作部、プログラム記憶部、および前記プログラム記憶部に記憶されたプログラムを実行する実行部を備える請求項１乃至１４いずれかに記載の携帯端末装置にて実行され、該携帯端末装置を制御する制御プログラムであって、
前記画像コンテンツを記憶するコンテンツ記憶部を備えるコンピュータを、
所定のウェブサーバに接続し、所定のウェブページにアクセスするための接続情報属性を有する画像コンテンツを所定の配布元から受け付ける手段、
前記画像コンテンツを前記表示部に表示する手段、
前記表示部に表示された前記画像コンテンツを選択するユーザの前記操作部を用いた操作を受け付ける手段、
前記操作を受け付ける手段が前記画像コンテンツを選択する操作を受け付けたとき、前記画像コンテンツの前記接続情報属性に基づいて、前記ウェブサーバの前記ウェブページにネットワークを介してアクセスする手段、
前記ウェブサーバの前記ウェブページを前記ユーザに閲覧可能にする手段、として機能させるための制御プログラム。
【請求項４７】
請求項４６に記載の制御プログラムにおいて、
コンピュータを、
画像コンテンツを収集し、前記コンテンツ記憶部に記憶する手段、
所定数の画像コンテンツが収集されたか否かを判定する手段、
前記所定数の画像コンテンツが収集されたと判定されるまで、前記画像コンテンツの前記接続情報属性を無効にするとともに、前記所定数の画像コンテンツが収集されたと判定されたとき、前記画像コンテンツの前記接続情報属性を有効にする手段、として機能させるための制御プログラム。
【請求項４８】
請求項１２乃至１４いずれかに記載の携帯端末装置から出力された画像コンテンツを受信する端末において実行される制御プログラムであって、
コンピュータを、
前記携帯端末装置から送信された前記画像コンテンツを受信する手段、
前記画像コンテンツを受信する手段により受信された前記画像コンテンツに転送複製禁止属性が付与されているか否かを判別する手段、
前記転送複製禁止属性が付与されている場合、前記画像コンテンツの転送または複製を禁止する手段、
前記転送複製禁止属性が付与されていない場合、前記画像コンテンツの転送または複製を許可する手段、として機能させるための制御プログラム。
【発明の詳細な説明】
【技術分野】
【０００１】
本発明は、携帯端末装置、画像コンテンツ提供装置、画像コンテンツ提供システム、画像コンテンツ提供方法、携帯端末装置の制御プログラム、およびメール処理プログラムに関し、特に、所定の配布元から入手される画像コンテンツを携帯端末装置に提供する技術に関する。
【背景技術】
【０００２】
従来、メール本文中に使用するための絵文字を用いて情報提供サービスを行うためのシステムとしては、たとえば特許文献１に記載されたものがある。同文献に記載されたシステムでは、携帯端末装置において、絵文字の画像データと、その絵文字に応じた情報提供を行うサーバ装置のネットワーク上のアドレスを指定するアドレスデータとで構成されるセットをサーバ装置からダウンロードして取得し、ダウンロードした絵文字を用いてメールを作成する際、ＨＴＭＬ形式で記述し、画像データに関連付けられたリンクタグにアドレスデータを埋め込む。
【特許文献１】特開２００４−９４９１５号公報
【発明の開示】
【発明が解決しようとする課題】
【０００３】
ＨＴＭＬ形式で作成されたメールに埋め込まれた画像データに特定のサーバのアドレスデータにリンクさせた場合、ソースファイルからリンク先の情報を取得することが可能である。このため、隠れサイトなどリンク先の情報を公開したくない場合には、不都合が生じる。
【０００４】
たとえば、公開限定や認証制限をかけたウェブページに画像データをリンクさせたり、画像データの配布制限を設けたりすることで、画像データの付加価値を増すことができる。したがって、リンク先をユーザに知られずに情報提供可能なサイトにリンクしている画像データの配布を行うことでビジネスを成立させるための仕組みを構築することが望まれる。
【０００５】
本発明は上記事情に鑑みてなされたものであり、その目的とするところは、各種情報およびサービスの提供可能な付加価値の高い画像コンテンツを提供する技術を提供することにある。また、本発明の別な目的は、画像コンテンツの利用価値を向上させる技術を提供することにある。
【課題を解決するための手段】
【０００６】
本発明によれば、所定のウェブサーバに接続し、所定のウェブページにアクセスするための接続情報属性を有する画像コンテンツを所定の配布元から受け付けるコンテンツ受付部と、
前記画像コンテンツを記憶するコンテンツ記憶部と、
前記画像コンテンツを表示する表示部と、
前記表示部に表示された前記画像コンテンツを選択するユーザの操作を受け付ける操作部と、
前記操作部が前記画像コンテンツを選択する操作を受け付けたとき、前記画像コンテンツの前記接続情報属性を取得する属性取得部と、
取得した前記接続情報属性に基づいて、前記ウェブサーバの前記ウェブページにネットワークを介してアクセスする接続部と、
前記ウェブサーバの前記ウェブページを前記ユーザに閲覧可能にする閲覧部と、を備える携帯端末装置が提供される。
【０００７】
ここで、画像コンテンツは所定の配布元からのみ入手可能な限定画像コンテンツである。
この発明によれば、所定のサーバのウェブページにアクセスするための接続情報属性を含む画像コンテンツを入手し、その画像コンテンツを表示させて鑑賞するだけでなく、画像コンテンツを選択操作するだけで、所定のサーバのウェブページにアクセスすることができ、ユーザは各種情報やサービスの提供を受けることができる。
【０００８】
たとえば、携帯端末装置のユーザは、観光地の宿泊施設、レジャー施設、公共施設、各種専門機関、店舗、飲食店、イベント会場、キャンペーン会場などにおいて、直接画像コンテンツを入手することができる。その場所で、直接画像コンテンツを入手する手段としては、たとえば、携帯端末装置と専用端末との間での赤外線通信、携帯端末装置の電源コネクタを専用端末にケーブルを介して接続してのデータ通信、携帯端末装置を専用端末にＵＳＢ（Universal Serial Bus）ケーブルを介して接続してのデータ通信などを含むことができる。その他に画像コンテンツを入手する手段としては、たとえば、画像コンテンツが添付されたメールの受信、または関連するウェブページにアクセスし、画像コンテンツをダウンロードすることにより入手することができる。また、関連するウェブページのＵＲＬ（Uniform Resource Locator）の入手方法は、たとえば、印刷物に印刷された二次元バーコードを読み取ることや、赤外線通信、メールに記載されたリンクなどを含む。
【０００９】
なお、画像コンテンツは、静止画像および動画像を含むことができる。
たとえば、画像コンテンツがＪＰＥＧ（Joint Photographic Experts Group）形式のファイルであった場合を例とすると、ＪＰＥＧ形式のデータフォーマットにおけるユーザ領域、例としてマーカ（ＦＦＦＥ）で示されるコメントセグメントや、ＡＰＰセグメント（マーカ：ＦＦＥ０〜ＦＦＥＦ）、あるいは、リザーブセグメント（マーカ：ＦＦＦ０〜ＦＦＦＤ）などに、接続情報属性を記述することができる。属性取得部は、該当するセグメントのマーカを検出することにより、該当するセグメントを検出し、セグメントに記述されている接続情報属性を取得することができる。
【００１０】
上記携帯端末装置において、前記接続情報属性は、前記ウェブサーバへの認証用ログイン情報を含むことができ、前記接続部は、前記認証用ログイン情報を用いて、前記ネットワークを介して前記ウェブサーバに自動的にログインして前記ウェブページにアクセスすることができる。
【００１１】
この構成によれば、入手した画像コンテンツを操作するだけで、サーバへの認証要求を自動的に行い、認証が必要なウェブページに安全に容易にアクセスすることができる。
たとえば、金融機関や信販カード会社などから配布された画像コンテンツを選択するだけで、金融機関などの認証を要するマイページなどにアクセスすることなどが可能になる。
【００１２】
上記携帯端末装置において、前記画像コンテンツを入手可能なコンテンツ提供ウェブサーバのコンテンツ提供ウェブページへの接続情報を受け付ける接続情報受付部と、前記接続情報に基づき、前記コンテンツ提供ウェブサーバの前記コンテンツ提供ウェブページにネットワークを介してアクセスし、前記画像コンテンツをダウンロードする画像コンテンツ取得部と、を含むことができ、前記コンテンツ受付部は、前記画像コンテンツ取得部が取得した前記画像コンテンツを受け付けることができる。
【００１３】
上記携帯端末装置において、前記コンテンツ提供ウェブサーバにアクセスするために必要な認証情報の入力を受け付ける認証情報受付部を備えることができ、前記画像コンテンツ取得部は、前記認証情報に基づき前記コンテンツ提供ウェブサーバにアクセスし、前記画像コンテンツをダウンロードすることができる。
【００１４】
上記携帯端末装置において、前記認証情報は、前記ユーザが所定の場所に行ったときに入手可能な情報とすることができる。
上記携帯端末装置において、記録媒体に記録された前記接続情報を含む識別記号を読み取る読取部を含むことができ、前記接続情報受付部は、前記読取部が読み取った前記識別記号から前記接続情報を受け付けることができる。ここで、識別記号とは、たとえば、二次元バーコードなどである。通常の携帯電話機などの二次元バーコード読み取り機能を用いて、二次元バーコードが示す接続情報、たとえばＵＲＬを取得することができる。
【００１５】
上記携帯端末装置において、予めユーザ登録したメールアドレス宛に届いた、接続情報が記述されたメールを受信するメール受信部と、前記メール受信部が受信した前記メールに記述された前記接続情報の選択操作を受け付け、前記接続情報を取得する取得部と、を含むことができ、前記接続情報受付部は、前記取得部が取得した前記接続情報を受け付けることができる。
【００１６】
上記携帯端末装置において、予めユーザ登録したメールアドレス宛に届いた、前記画像コンテンツが添付されたメールを受信する添付メール受信部を含むことができ、前記コンテンツ受付部は、前記添付メール受信部が受信したメールに添付された前記画像コンテンツを受け付けることができる。
【００１７】
上記携帯端末装置において、画像コンテンツを収集し、前記コンテンツ記憶部に記憶する画像収集部と、所定数の画像コンテンツが収集されたか否かを判定する判定部と、前記所定数の画像コンテンツが収集されたと判定されるまで、前記画像コンテンツの前記接続情報属性を無効にするとともに、前記所定数の画像コンテンツが収集されたと判定されたとき、前記画像コンテンツの前記接続情報属性を有効にする属性制御部と、を備えることができる。
【００１８】
この構成によれば、画像コンテンツを携帯端末装置にて所定数収集してはじめて所定のウェブページに接続可能となり、ユーザは情報やサービスの提供を受けることができる。これにより、たとえば、所定数の画像コンテンツを収集することで、所定のサービスや景品、賞金などとの交換を可能とすることができる。たとえば店舗などで精算毎に配布されたスタンプを携帯端末装置で収集したり、鉄道会社のスタンプラリーなどのように所定の場所を訪問することでスタンプを携帯端末装置で収集したりすることで、所定のサービスや景品、賞金などとの交換をすることができるようになる。そのため、ユーザが所定数のスタンプを収集する目的で、店舗や所定の施設に出向いたり、商品を購入したり、スタンプラリーに参加したりする機会が増えることが期待される。
【００１９】
上記携帯端末装置において、所定数の画像コンテンツが収集されたと判定されたとき、その旨をユーザ情報とともに、所定のサービス提供受付装置に通知する通知部を備えることができる。
【００２０】
上記携帯端末装置において、前記画像コンテンツに転送複製禁止属性を付与する属性付与部と、前記転送複製禁止属性が付与された前記画像コンテンツを他の端末に出力する出力部と、を含むことができる。
【００２１】
ここで、出力部は、たとえば、赤外線通信、シリアル通信、およびメール送信により他の端末に画像コンテンツを出力する。この構成によれば、画像コンテンツをメールなどで他者に送信できるが、受信側では転送および複製が禁止されるので、画像コンテンツの付加価値が増す。ここでの画像コンテンツのメールによる送信は、絵文字としての送信と、メールに添付しての送信の両方を含む。
【００２２】
上記携帯端末装置において、前記画像コンテンツの前記接続情報属性は、前記画像コンテンツの転送複製を許可するための所定のサーバの購入申請用ウェブページへの第２の接続情報を含むことができ、前記出力部は、前記購入申請用ウェブページへの前記第２の接続情報を含む前記接続情報属性を有する前記画像コンテンツを出力することができる。
【００２３】
上記携帯端末装置において、前記画像コンテンツをメールに使用できる絵文字として登録する登録部を備えることができる。
【００２４】
上記携帯端末装置において、前記登録部に登録された前記画像コンテンツを絵文字として使用したメールまたは画像コンテンツを添付したメールの作成を受け付けるメール編集部と、前記メールを宛先に送信するメール送信部と、を備えることができる。
この構成によれば、絵文字登録された画像コンテンツを使用してメールを作成または画像コンテンツを添付したメールを作成し、他の端末に送信することができる。
【００２５】
上記携帯端末装置において、画像コンテンツを配信する専用端末装置とケーブル接続する端末接続部を備えることができ、コンテンツ受付部は、画像コンテンツを端末接続部を介して受け付けることができる。
この構成によれば、携帯端末装置の電源接続端子またはＵＳＢ接続端子などを介して専用端末装置に接続し、専用端末装置から画像コンテンツを受信することができる。
【００２６】
上記携帯端末装置において、画像コンテンツを配信する画像配信装置と赤外線通信を行う赤外線通信部を備えることができ、コンテンツ受付部は、赤外線通信部を介して、画像配信装置から受信した画像コンテンツを受け付けることができる。
【００２７】
上記画像コンテンツ提供装置において、携帯端末装置にケーブルを介して接続する端末接続部を備えることができ、提供部は、携帯端末装置に画像コンテンツをケーブルを介して送信して提供することができる。
【００２８】
上記画像コンテンツ提供装置において、携帯端末装置と赤外線通信を行う赤外線通信部を備えることができ、提供部は、画像コンテンツを赤外線通信部を介して携帯端末装置に送信して提供することができる。
【００２９】
本発明によれば、携帯端末装置に画像コンテンツを提供する画像コンテンツ提供装置であって、
接続情報属性を有する前記画像コンテンツを記憶する画像コンテンツ記憶部と、
前記画像コンテンツを前記携帯端末装置に提供する提供部と、を備える画像コンテンツ提供装置が提供される。
【００３０】
上記画像コンテンツ提供装置において、前記画像コンテンツ記憶部は、所定のウェブサーバへの認証用ログイン情報を含む接続情報属性を有する画像コンテンツを記憶することができる。
【００３１】
上記画像コンテンツ提供装置において、接続情報で特定されるコンテンツ提供ウェブページを記憶するコンテンツ提供ページ記憶部を含むことができ、前記提供部は、前記携帯端末装置が前記コンテンツ提供ウェブページにネットワークを介してアクセスしたとき、前記携帯端末装置からの要求に応じて、前記画像コンテンツをアップロードして提供することができる。
【００３２】
上記画像コンテンツ提供装置において、前記携帯端末装置に、認証情報を要求し、前記携帯端末装置から前記認証情報を受信し、受信した前記認証情報に基づき前記携帯端末装置を認証する認証部と、を備えることができ、前記提供部は、前記携帯端末装置が認証されなかったとき、前記画像コンテンツの提供を禁止し、認証された前記携帯端末装置に前記画像コンテンツを提供することができる。
【００３３】
上記画像コンテンツ提供装置において、前記携帯端末装置のユーザのメールアドレスの登録を受け付けるアドレス登録受付部と、予め登録された前記メールアドレス宛に、前記コンテンツ提供ウェブページへの前記接続情報を記述したメールを送信するメール送信部と、を備えることができる。
【００３４】
上記画像コンテンツ提供装置において、前記携帯端末装置のユーザのメールアドレスの登録を受け付けるアドレス登録受付部と、予め登録された前記メールアドレス宛に、前記画像コンテンツを添付したメールを送信するメール送信部と、を備えることができる。
【００３５】
上記画像コンテンツ提供装置において、前記画像コンテンツ記憶部は、所定数の画像コンテンツが前記携帯端末装置にて収集されたときに、前記接続情報属性が有効となる前記画像コンテンツを記憶し、前記提供部は、前記画像コンテンツを前記携帯端末装置に提供することができる。
【００３６】
上記画像コンテンツ提供装置において、前記画像コンテンツ記憶部は、画像コンテンツの転送または複製を禁止する転送複製禁止属性を含む画像コンテンツを記憶することができる。
【００３７】
上記画像コンテンツ提供装置において、前記画像コンテンツ記憶部は、前記画像コンテンツの転送複製を許可するための購入申請用ウェブページへの接続情報を含む接続情報属性を有する画像コンテンツを記憶することができ、前記購入申請用ウェブページを記憶する購入申請ページ記憶部と、前記購入申請用ウェブページにアクセスした前記携帯端末装置のユーザ認証を行う認証部と、認証された前記携帯端末装置から前記画像コンテンツの購入申請を受け付ける購入申請受付部と、前記認証された前記携帯端末装置のユーザに前記画像コンテンツの購入料金を課金する課金部と、前記課金部により前記画像コンテンツに対する課金がなされたとき、当該画像コンテンツの前記転送複製禁止属性を転送複製許可に設定し、前記認証された前記携帯端末装置に送信する送信部と、を備えることができる。
【００３８】
本発明によれば、所定のウェブページを記憶するウェブサーバと、
上記携帯端末装置と、
上記画像コンテンツ提供装置と、を備え、
前記ウェブサーバの前記ウェブページに接続するための接続情報属性を有する画像コンテンツを前記携帯端末装置に提供する画像コンテンツ提供システムが提供される。
【００３９】
上記画像コンテンツ提供システムにおいて、前記ウェブページは、一般には未公開のウェブページとすることができる。
この構成によれば、画像コンテンツを入手できたユーザのみがウェブページにアクセスすることができるので、画像コンテンツの付加価値が増す。
【００４０】
上記画像コンテンツ提供システムにおいて、前記画像コンテンツ提供装置の前記画像コンテンツ記憶部は、前記ウェブサーバへの認証用ログイン情報を含む接続情報属性を有する画像コンテンツを記憶することができ、前記携帯端末装置は、前記認証用ログイン情報を用いて、前記ネットワークを介して前記ウェブサーバに自動的にログインする認証要求部を含むことができ、前記ウェブサーバは、前記携帯端末装置からのログインを受け付け、前記携帯端末装置を認証する認証部と、前記認証部が前記携帯端末装置を認証したとき、前記携帯端末装置のログインを受け付け、前記携帯端末装置の前記閲覧部による前記ウェブページを閲覧可能にし、前記認証部が前記携帯端末装置を認証できなかったとき、前記ウェブページの閲覧を禁止する制御部と、を備えることができる。
【００４１】
上記画像コンテンツ提供システムにおいて、前記携帯端末装置は、所定数の画像コンテンツが収集されたと判定されたとき、その旨をユーザ情報とともに通知する通知部を含むことができ、前記携帯端末装置から通知されたユーザ情報と、前記画像コンテンツの収集結果を受け付ける収集結果受付部と、前記収集結果に基づき、前記携帯端末装置のユーザに前記画像コンテンツの収集に対する対価として、景品、賞金、サービスなどの提供を許可する許可部と、を備えることができる。
【００４２】
ここで、通知部は、画像コンテンツの配布元の専用端末に対して、各種通信手段を用いて通知することができる。たとえば、赤外線通信、ケーブルを介して有線通信、メール送信などを含む。これにより、配布元では、所定数に応じた景品やサービスをユーザに提供することが可能となる。
【００４３】
上記画像コンテンツ提供システムにおいて、前記携帯端末装置は、前記画像コンテンツに転送複製禁止属性を付与する属性付与部と、前記転送複製禁止属性が付与された前記画像コンテンツを他の端末に出力する出力部と、を含むことができ、前記他の端末にて受け取った前記画像コンテンツの転送または複製を禁止させることができる。
【００４４】
上記画像コンテンツ提供システムにおいて、前記携帯端末装置から出力された前記画像コンテンツを受信する端末を含むことができ、前記端末は、前記携帯端末装置から出力された前記画像コンテンツを受信する画像コンテンツ受信部と、前記画像コンテンツ受信部が受信した前記画像コンテンツに前記転送複製禁止属性が付与されているか否かを判別する判別部と、前記転送複製禁止属性が付与されている場合、前記画像コンテンツの転送または複製を禁止する禁止部と、前記転送複製禁止属性が付与されていない場合、前記画像コンテンツの転送または複製を許可する許可部と、を含むことができる。
【００４５】
この構成によれば、メール受信者による画像コンテンツの転送または複製を禁止することができる。
【００４６】
上記画像コンテンツ提供システムにおいて、前記画像コンテンツの転送複製を許可するための購入申請用ウェブページを記憶する購入申請ページ記憶部と、前記購入申請用ウェブページにアクセスした前記端末のユーザ認証を行う認証部と、認証された前記端末から前記画像コンテンツの購入申請を受け付ける購入申請受付部と、前記認証された前記端末のユーザに前記画像コンテンツの購入料金を課金する課金部と、前記課金部により前記画像コンテンツに対する課金がなされたとき、当該画像コンテンツの前記転送複製禁止属性を転送複製許可に設定し、前記認証された前記端末に送信する送信部と、を有する購入申請用ウェブサーバを備えることができ、前記画像コンテンツ提供装置の前記提供部は、前記購入申請用ウェブページへの第２の接続情報を含む前記接続情報属性を有する前記画像コンテンツを前記携帯端末装置に提供し、前記携帯端末装置の前記出力部は、前記購入申請用ウェブページへの前記第２の接続情報を含む前記接続情報属性を有する前記画像コンテンツを前記端末に出力し、前記端末は、前記携帯端末装置から前記画像コンテンツを受信する受信部と、前記画像コンテンツを表示する表示部と、前記画像コンテンツの選択操作を受け付ける受付部と、前記画像コンテンツを選択する操作を受け付けたとき、前記画像コンテンツの前記接続情報属性に基づいて、前記購入申請用ウェブサーバにネットワークを介して接続し、前記購入申請用ウェブページにアクセスする接続部と、前記購入申請用ウェブサーバにログインし、前記画像コンテンツの購入申請を行い、購入料金の支払い手続きをするための操作を受け付け、前記購入申請用ウェブサーバに前記ネットワークを介して操作を行う操作処理部と、前記画像コンテンツの購入手続きが完了したとき、前記購入申請用ウェブサーバから前記転送複製禁止属性が付加されていない画像コンテンツをダウンロードする受信部と、ダウンロードされた前記画像コンテンツを記憶するコンテンツ記憶部と、を含むことができる。
【００４７】
この構成によれば、画像コンテンツを購入することにより、転送または複製を許可することができる。これにより、画像コンテンツによるビジネスが成立する。また、転送複製許可された画像コンテンツは、画像コンテンツを操作すると所定のウェブページにアクセスすることができるようにすることもできる。転送複製禁止属性が付加されていない画像コンテンツをダウンロードし、上書きすることで画像コンテンツの転送複製ができるようになる。
【００４８】
本発明によれば、コンテンツ記憶部、表示部、および操作部を備える携帯端末装置に画像コンテンツを提供する画像コンテンツ提供方法であって、
所定のウェブサーバのウェブページに接続するための接続情報属性を有する画像コンテンツを所定の配布元の画像コンテンツ記憶部に記憶し、
所定の配布元にて前記画像コンテンツ記憶部から前記携帯端末装置が前記画像コンテンツを受け付け、
前記携帯端末装置が前記画像コンテンツを前記コンテンツ記憶部に記憶し、
前記携帯端末装置が前記画像コンテンツを前記表示部に表示し、
前記携帯端末装置の前記操作部により前記表示された前記画像コンテンツを選択するユーザの操作を受け付け、
前記画像コンテンツを選択する操作を受け付けたとき、前記携帯端末装置の前記接続部が、前記画像コンテンツに付与された前記接続情報属性に基づいて、前記ウェブサーバの前記ウェブページに前記ネットワークを介してアクセスし、
前記携帯端末装置にて前記ウェブサーバの前記ウェブページを閲覧可能にする画像コンテンツ提供方法が提供される。
【００４９】
本発明によれば、表示部、操作部、プログラム記憶部、および前記プログラム記憶部に記憶されたプログラムを実行する実行部を備える上記携帯端末装置にて実行され、該携帯端末装置を制御する制御プログラムであって、
前記画像コンテンツを記憶するコンテンツ記憶部を備えるコンピュータを、
所定のウェブサーバに接続し、所定のウェブページにアクセスするための接続情報属性を有する画像コンテンツを所定の配布元から受け付ける手段、
前記画像コンテンツを前記表示部に表示する手段、
前記表示部に表示された前記画像コンテンツを選択するユーザの前記操作部を用いた操作を受け付ける手段、
前記操作を受け付ける手段が前記画像コンテンツを選択する操作を受け付けたとき、前記画像コンテンツの前記接続情報属性に基づいて、前記ウェブサーバの前記ウェブページにネットワークを介してアクセスする手段、
前記ウェブサーバの前記ウェブページを前記ユーザに閲覧可能にする手段、として機能させるための制御プログラムが提供される。
【００５０】
本発明によれば、上記携帯端末装置から出力された画像コンテンツを受信する端末において実行される制御プログラムであって、
コンピュータを、
前記携帯端末装置から送信された前記画像コンテンツを受信する手段、
前記画像コンテンツを受信する手段により受信された前記画像コンテンツに前記転送複製禁止属性が付与されているか否かを判別する手段、
前記転送複製禁止属性が付与されている場合、前記画像コンテンツの転送または複製を禁止する手段、
前記転送複製禁止属性が付与されていない場合、前記画像コンテンツの転送または複製を許可する手段、として機能させるための制御プログラムが提供される。
【００５１】
なお、以上の構成要素の任意の組合せ、本発明の表現を方法、装置、システム、記録媒体、コンピュータプログラムなどの間で変換したものもまた、本発明の態様として有効である。
【発明の効果】
【００５２】
本発明によれば、各種情報およびサービスの提供可能な付加価値の高い画像コンテンツを提供する画像コンテンツ提供システムが提供される。
【発明を実施するための最良の形態】
【００５３】
以下、本発明の実施の形態について、図面を用いて説明する。なお、すべての図面において、同様な構成要素には同様の符号を付し、適宜説明を省略する。
【００５４】
（第一の実施の形態）
図１は、本発明の実施の形態の画像コンテンツ提供システム１の概念を説明するための図である。本実施形態において、画像コンテンツ提供システム１は、画像コンテンツ提供装置１００と、画像コンテンツ提供装置１００から提供される画像コンテンツ１０を取得するユーザ携帯端末２００と、ユーザ携帯端末２００が、画像コンテンツ１０が有する接続情報属性１４（図中、「ＵＲＬ情報」と示す）に基づきネットワーク３を介してアクセス可能な特定ページ３０２を有するウェブサーバ３００と、を備える。画像コンテンツ１０は、静止画像および動画像を含む画像データ１２である。特定ページ３０２は一般には未公開のウェブページであり、画像コンテンツ１０を入手できたユーザのみが特定ページ３０２にアクセスすることができるので、画像コンテンツ１０の付加価値が増す。
【００５５】
たとえば、画像コンテンツ１０がＪＰＥＧ形式のファイルであった場合を例とすると、ＪＰＥＧ形式のデータフォーマットにおけるユーザ領域、例としてマーカ（ＦＦＦＥ）で示されるコメントセグメントや、ＡＰＰセグメント（マーカ：ＦＦＥ０〜ＦＦＥＦ）、あるいは、リザーブセグメント（マーカ：ＦＦＦ０〜ＦＦＦＤ）などに、接続情報属性１４を記述することができる。なお、画像コンテンツは、ＪＥＰＧ形式に限定されるものではなく、他の形式であってもよい。
【００５６】
画像コンテンツ提供装置１００は、ユーザ携帯端末２００に画像コンテンツを提供するものであり、たとえば、観光地の宿泊施設、レジャー施設、公共施設、各種専門機関、店舗、飲食店、イベント会場、キャンペーン会場などに設置され、ユーザ携帯端末２００と有線または無線通信することで、ユーザ携帯端末２００に画像コンテンツ１０を提供することができる。本実施形態において、画像コンテンツは所定の配布元からのみ入手可能な限定画像コンテンツである。
【００５７】
ユーザ携帯端末２００は、たとえば、ユーザＡが携行する携帯電話機やＰＤＡ（Personal Digital Assistants）などである。画像データ１２は接続情報属性１４を有する。接続情報属性１４は、ウェブサーバ３００の特定ページ３０２にアクセスするための、特定ページ３０２のアドレス情報、たとえばＵＲＬ、またはＵＲＩを含むことができる。画像コンテンツ１０は、ユーザＡのユーザ携帯端末２００にて、メールに添付したり、絵文字として登録し、他のユーザＢにメール送信したり、赤外線通信にて他のユーザＢのユーザ端末４００に転送することができる。
【００５８】
ユーザＡから他のユーザＢに画像コンテンツ１０を転送する際、画像データ１２に接続情報属性２４および転送禁止属性２６を付与して、転送禁止画像コンテンツ２０として転送することができる。転送禁止属性２６により画像データ１２はユーザＢからさらに他のユーザに転送することや複製が禁止される。詳細については後述する。また、接続情報属性２４は、転送禁止された画像データ１２を転送可能にするために、画像データ１２を購入申請するためのウェブページへの接続情報、たとえばＵＲＬまたはＵＲＩを含む。ユーザＢは、接続情報属性２４に含まれる接続情報に基づき、購入申請用ウェブページにアクセスし、画像データ１２を購入することで、絵文字として登録したり、メールに添付して送信したり、赤外線通信にて他の端末に転送することができる。
【００５９】
図２は、本実施形態のユーザ携帯端末２００の構成を示すブロック図である。ユーザ携帯端末２００は、ＣＰＵ（Central Processing Unit）２０２と、メモリ２０４と、アンテナ２０６と、無線通信部２０８と、赤外線用アンテナ２１０と、赤外線通信部２１２と、撮像部２１４と、操作部２１６と、操作受付部２１８と、表示部２２０と、表示制御部２２２と、シリアル通信部２２４と、シリアル通信コネクタ２２６と、を備える。なお、図１の他のユーザ端末４００もユーザ携帯端末２００と同様な構成を有するものとする。
【００６０】
ＣＰＵ２０２は、ユーザ携帯端末２００の各要素とバス２３２を介して接続され、各要素とともに端末全体を制御する。メモリ２０４は、ユーザ携帯端末２００を制御するためのプログラムおよびデータを記憶するとともに、ＣＰＵ２０２がメモリ２０４に記憶されたプログラムを実行する際に使用する作業領域やアドレス帳、スケジュール情報、各種設定、各種コンテンツ、メールなどを格納するデータ記憶領域を含む。
【００６１】
無線通信部２０８は、アンテナ２０６を介して公衆回線網に接続し、通話およびインターネットなどのネットワークに接続し、メール送受信やウェブサーバにアクセスしたりする。赤外線通信部２１２は、赤外線用アンテナ２１０を介して他の赤外線通信装置と赤外線通信を行う。撮像部２１４は、静止画像または動画像を撮像する。
【００６２】
操作部２１６は、操作キー、スイッチなどである。操作受付部２１８は、ユーザの操作部２１６の操作を受け付ける。表示部２２０は、液晶ディスプレイなどであり、表示制御部２２２によって制御される。シリアル通信部２２４は、ケーブルを介してシリアル通信コネクタ２２６に接続された他の機器とシリアル通信を行う。シリアル通信インタフェースとしては、たとえば、ＵＳＢなどである。
【００６３】
図３は、本実施形態の画像コンテンツ提供システム１の各装置の構成を示す機能ブロック図である。なお、各図において、本発明の本質に関わらない部分の構成については省略してある。
【００６４】
また、画像コンテンツ提供システム１の各装置の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００６５】
本発明の実施の形態に係る画像コンテンツ提供システム１は、所定のウェブページを記憶するウェブサーバ３００と、携帯端末装置（ユーザ携帯端末２００）と、画像コンテンツ提供装置１００と、を備え、ウェブサーバ３００のウェブページに接続するための接続情報属性を有する画像コンテンツを携帯端末装置（ユーザ携帯端末２００）に提供する。
【００６６】
携帯端末装置（ユーザ携帯端末２００）は、所定のウェブサーバ３００に接続し、所定のウェブページにアクセスするための接続情報属性を有する画像コンテンツを所定の配布元から受け付けるコンテンツ受付部（受信部２５０）と、画像コンテンツを記憶するコンテンツ記憶部（画像コンテンツ記憶部２５２）と、画像コンテンツを表示する表示部（コンテンツ一覧表示部２５４）と、表示部に表示された画像コンテンツを選択するユーザの操作を受け付ける操作部（選択受付部２５６）と、操作部が画像コンテンツを選択する操作を受け付けたとき、画像コンテンツの接続情報属性を取得する属性取得部（接続情報取得部２５８）と、取得した接続情報属性に基づいて、ウェブサーバ３００のウェブページにネットワークを介してアクセスする接続部２６０と、ウェブサーバ３００のウェブページをユーザに閲覧可能にする閲覧部（ダウンロード部２６２、閲覧部２６４）と、を備え、画像コンテンツ提供装置１００は、接続情報属性を有する画像コンテンツを記憶する画像コンテンツ記憶部（画像コンテンツ格納部１１０）と、画像コンテンツを携帯端末装置（ユーザ携帯端末２００）に提供する提供部（送信部１１２）と、を備える。
【００６７】
また、図３に示すように、ウェブサーバ３００は、認証部３１０と、ウェブページ記憶部３１２と、アップロード部３１４と、を備える。
【００６８】
本実施形態において、画像コンテンツ提供装置１００は、ユーザ携帯端末２００にケーブルを介して接続する端末接続部（不図示）を備え、送信部１１２は、ユーザ携帯端末２００に画像コンテンツ１０をケーブルを介して送信して提供する。
【００６９】
また、ユーザ携帯端末２００は、画像コンテンツ１０を配信する専用端末装置として画像コンテンツ提供装置１００とケーブル接続する端末接続部（図２のシリアル通信コネクタ２２６）を備え、コンテンツ受付部（受信部２５０）は、画像コンテンツ１０を端末接続部（図２のシリアル通信コネクタ２２６）を介して受け付ける。この構成によれば、携帯端末装置の電源接続端子またはＵＳＢ接続端子などを介して専用端末装置に接続し、専用端末装置から画像コンテンツを受信することができる。
【００７０】
また、本実施形態の画像コンテンツ提供装置１００において、ユーザ携帯端末２００と赤外線通信を行う赤外線通信部（不図示）を備え、送信部１１２は、画像コンテンツ１０を赤外線通信部を介してユーザ携帯端末２００に送信して提供する。一方、ユーザ携帯端末２００は、画像コンテンツ１０を配信する画像配信装置としての画像コンテンツ提供装置１００と赤外線通信を行う赤外線通信部（図２の赤外線通信部２１２）を備え、コンテンツ受付部（受信部２５０）は、赤外線通信部を介して、画像配信装置（画像コンテンツ提供装置１００）から受信した画像コンテンツ１０を受け付ける。
【００７１】
詳細には、画像コンテンツ提供装置１００において、画像コンテンツ格納部１１０は、ユーザ携帯端末２００に提供する画像コンテンツ１０が格納されている。送信部１１２は、ユーザ携帯端末２００と通信を行い、画像コンテンツ１０をユーザ携帯端末２００に送信する。送信部１１２は、たとえば、ユーザ携帯端末２００のシリアル通信コネクタ２２６（図２）とＵＳＢケーブルで接続することにより通信して画像コンテンツ１０をユーザ携帯端末２００に送信したり、ユーザ携帯端末２００の赤外線通信部２１２（図２）と赤外線用アンテナ２１０（図２）を介して赤外線通信して画像コンテンツ１０をユーザ携帯端末２００に送信したり、あるいは、画像コンテンツ提供装置１００からユーザ携帯端末２００のメールアドレス宛のメールに画像を添付して送信したり、ユーザ携帯端末２００の電源コネクタ（不図示）にケーブル接続して通信して画像コンテンツ１０をユーザ携帯端末２００に送信したりすることができる。
【００７２】
また、ユーザ携帯端末２００において、受信部２５０は、画像コンテンツ提供装置１００から送信された画像コンテンツ１０を受信し、画像コンテンツ記憶部２５２に格納する。コンテンツ一覧表示部２５４は、受信部２５０が受信した画像コンテンツ１０を一覧または全面で表示部２２０（図２）に表示する。選択受付部２５６は、一覧表示された画像コンテンツ１０の中からユーザが選択した画像コンテンツ１０を受け付ける。接続情報取得部２５８は、選択受付部２５６が取得した画像コンテンツ１０の接続情報属性１４を取得する。上述したように、画像コンテンツ１０がＪＰＥＧ形式のファイルであった場合を例とすると、接続情報取得部２５８は、該当するセグメントのマーカを検出することにより、該当するセグメントを検出し、セグメントに記述されている接続情報属性１４を取得することができる。
【００７３】
接続部２６０は、接続情報取得部２５８が取得した接続情報属性１４に基づきネットワーク３を介して所定のサーバに接続する。接続情報属性１４は、上述したように、たとえば特定ページ３０２（図１）のアドレス情報を含み、接続部２６０は、特定ページ３０２にアクセスすることができる。必要に応じて、接続情報属性１４には、特定ページ３０２にアクセスするためのログイン情報を含むことができる。ログイン情報には、たとえば、ユーザＩＤとパスワードを含むことができる。本実施形態において、接続部２６０は、認証用ログイン情報を用いて、ネットワーク３を介してウェブサーバ３００に自動的にログインしてウェブページ（特定ページ３０２）にアクセスすることができる。
【００７４】
接続部２６０は、特定ページ３０２にアクセスし、必要に応じて、ログイン情報をサーバに送信し、ログイン許可を得る。ダウンロード部２６２は、ネットワーク３を介して特定ページ３０２を取得し、閲覧部２６４を介してユーザに特定ページ３０２を提示する。これにより、ユーザは特定ページ３０２を表示部２２０（図２）上で閲覧することができる。
【００７５】
この構成によれば、入手した画像コンテンツを操作するだけで、サーバへの認証要求を自動的に行い、認証が必要なウェブページに安全に容易にアクセスすることができる。
たとえば、金融機関や信販カード会社などから配布された画像コンテンツを選択するだけで、金融機関などの認証を要するマイページなどにアクセスすることなどが可能になる。
【００７６】
画像コンテンツ提供システム１において、画像コンテンツ提供装置１００の画像コンテンツ記憶部（画像コンテンツ格納部１１０）は、ウェブサーバ３００への認証用ログイン情報を含む接続情報属性１４を有する画像コンテンツ１０を記憶し、携帯端末装置（ユーザ携帯端末２００）は、認証用ログイン情報を用いて、ネットワーク３を介してウェブサーバ３００に自動的にログインする認証要求部（接続部２６０）を含むことができ、ウェブサーバ３００は、携帯端末装置（ユーザ携帯端末２００）からのログインを受け付け、携帯端末装置（ユーザ携帯端末２００）を認証する認証部３１０と、認証部３１０が携帯端末装置（ユーザ携帯端末２００）を認証したとき、携帯端末装置（ユーザ携帯端末２００）のログインを受け付け、携帯端末装置（ユーザ携帯端末２００）の閲覧部２６４によるウェブページを閲覧可能にし、認証部３１０が携帯端末装置（ユーザ携帯端末２００）を認証できなかったとき、ウェブページの閲覧を禁止する制御部（認証部３１０）と、を備えることができる。
【００７７】
ウェブサーバ３００において、認証部３１０は、ユーザ携帯端末２００からの接続要求に基づき、必要に応じてユーザＩＤおよびパスワードでユーザ認証を行う。ウェブページ記憶部３１２は、特定ページ３０２を含むウェブサイトが記憶される。アップロード部３１４は、認証部３１０が受け付け、認証したユーザのユーザ携帯端末２００に特定ページ３０２などのウェブページを含むウェブサイトを提供する。
【００７８】
このように構成された画像コンテンツ提供システム１の動作について、以下に説明する。図４は、本実施形態の画像コンテンツ提供システム１の動作の一例を示すフローチャートである。図５は、本実施形態の画像コンテンツ提供システム１のユーザ携帯端末２００の表示部２２０の画面推移を示す図である。以下、図１乃至図５を用いて説明する。ここでは、ユーザ携帯端末２００のユーザが店舗などに行き、赤外線通信またはＵＳＢケーブル接続にてユーザ携帯端末２００と通信して画像コンテンツ１０を提供可能な画像コンテンツ提供装置１００が店舗に設置されている場合を例に説明する。
【００７９】
本実施形態の画像コンテンツ提供方法は、コンテンツ記憶部（図３の画像コンテンツ記憶部２５２）、表示部（図３のコンテンツ一覧表示部２５４）、および操作部（図３の選択受付部２５６）を備える携帯端末装置（ユーザ携帯端末２００）に画像コンテンツ１０を提供する画像コンテンツ提供方法であって、所定のウェブサーバ３００のウェブページ（図１の特定ページ３０２）に接続するための接続情報属性１４を有する画像コンテンツ１０を所定の配布元の画像コンテンツ記憶部（図３の画像コンテンツ格納部１１０）に記憶し、所定の配布元にて画像コンテンツ記憶部（図３の画像コンテンツ格納部１１０）から携帯端末装置（ユーザ携帯端末２００）が画像コンテンツ１０を受け付け（ステップＳ１１、Ｓ２３）、携帯端末装置（ユーザ携帯端末２００）が画像コンテンツ１０をコンテンツ記憶部（図３の画像コンテンツ記憶部２５２）に記憶し（ステップＳ２５）、携帯端末装置（ユーザ携帯端末２００）が画像コンテンツ１０を表示部（図３のコンテンツ一覧表示部２５４）に表示し（ステップＳ２７）、携帯端末装置（ユーザ携帯端末２００）の操作部（図３の選択受付部２５６）により表示された画像コンテンツ１０を選択するユーザの操作を受け付け（ステップＳ２９）、画像コンテンツ１０を選択する操作を受け付けたとき、携帯端末装置（ユーザ携帯端末２００）の接続部（図３の接続部２６０）が、画像コンテンツ１０に付与された接続情報属性１４に基づいて、ウェブサーバ３００のウェブページ（図１の特定ページ３０２）にネットワーク３を介してアクセスし（ステップＳ３１、Ｓ４１）、携帯端末装置（ユーザ携帯端末２００）にてウェブサーバ３００のウェブページ（図１の特定ページ３０２）を閲覧可能にする（ステップＳ３５、Ｓ４５）。
【００８０】
はじめにユーザ携帯端末２００において、本実施形態の画像コンテンツ提供システム１のアプリケーションソフトが起動され、ＣＰＵ２０２が実行する（Ｓ２１）。このアプリケーションプログラムは、プログラム記憶部（図２のメモリ２０４）、およびプログラム記憶部に記憶されたプログラムを実行する実行部（図２のＣＰＵ２０２）を備える携帯端末装置（図１のユーザ携帯端末２００）にて実行され、該携帯端末装置を制御する制御プログラムであって、画像コンテンツ１０を記憶するコンテンツ記憶部（図３の画像コンテンツ記憶部２５２）を備えるコンピュータ（図２のＣＰＵ２０２）を、所定のウェブサーバ３００（図１）に接続し、所定のウェブページ（図１の特定ページ３０２）にアクセスするための接続情報属性１４（図１）を有する画像コンテンツ１０を所定の配布元から受け付ける手段（図３の受信部２５０）、画像コンテンツ１０を表示部（図２の表示部２２０）に表示する手段（図３のコンテンツ一覧表示部２５４）、表示部に表示された画像コンテンツ１０を選択するユーザの操作部（図２の操作部２１６）を用いた操作を受け付ける手段（図３の選択受付部２５６）、操作を受け付ける手段が画像コンテンツ１０を選択する操作を受け付けたとき、画像コンテンツ１０の接続情報属性１４に基づいて、ウェブサーバ３００のウェブページにネットワーク３（図３）を介してアクセスする手段（図３の接続部２６０）、ウェブサーバ３００のウェブページをユーザに閲覧可能にする手段（図３の閲覧部２６４）、として機能させるための制御プログラムである。
【００８１】
このアプリケーションプログラムが起動されると、図５（ａ）のメニュー画面５００がユーザ携帯端末２００の表示部２２０に表示される。メニュー画面５００は、コンテンツ受信メニュー５０２と、コンテンツ一覧メニュー５０４と、メール作成メニュー５０６と、終了ボタン５０８と、を含む。ユーザが操作部２１６を操作してコンテンツ受信メニュー５０２を選択すると、操作受付部２１８が受け付け、画像コンテンツ提供装置１００からの画像コンテンツ１０の受信待ち状態となる。ここで、たとえば、画像コンテンツ提供装置１００とユーザ携帯端末２００をＵＳＢケーブルで互いに接続してもよいし、あるいは、ユーザ携帯端末２００の赤外線通信部２１２がデータ受信待ち状態になってもよい。
【００８２】
画像コンテンツ提供装置１００の送信部１１２が、ＵＳＢケーブルで接続されたユーザ携帯端末２００に画像コンテンツ１０を送信する（Ｓ１１）。あるいは、送信部１１２は、赤外線通信にてユーザ携帯端末２００に画像コンテンツ１０を送信する。そして、ユーザ携帯端末２００の受信部２５０が画像コンテンツ１０を受信する（Ｓ２３）。この間、画像コンテンツ提供装置１００の表示部２２０には、図５（ｂ）の受信画面５１０が表示される。受信画面５１０はキャンセルボタン５１２を含み、キャンセルボタン５１２の操作を操作受付部２１８が受け付けると、受信部２５０は、受信処理を中断する。
【００８３】
受信が正常に終了すると、表示部２２０には、図５（ｃ）の受信画像画面５２０が表示される。受信画像画面５２０は、受信メッセージ５２２と、画像コンテンツ表示５２４と、登録ボタン５２６と、戻るボタン５２８と、が含まれる。登録ボタン５２６の操作を操作受付部２１８が受け付けると、受信した画像コンテンツ１０が画像コンテンツ記憶部２５２に格納される（Ｓ２５）。戻るボタン５２８の操作を操作受付部２１８が受け付けると、受信した画像コンテンツ１０は破棄され、図５（ａ）のメニュー画面５００に戻る。
【００８４】
ユーザが操作部２１６を操作してメニュー画面５００のコンテンツ一覧メニュー５０４を選択すると、図５（ｄ）のコンテンツ一覧画面５３０が表示部２２０に表示される（Ｓ２７）。または、ステップＳ２５で画像コンテンツ１０が画像コンテンツ記憶部２５２に格納された後、コンテンツ一覧画面５３０を表示してもよい。コンテンツ一覧画面５３０は、同様にして取得した複数の画像コンテンツ５３２と、接続ボタン５３６と、戻るボタン５３８と、を含む。複数の画像コンテンツ５３２の中から一つを選択すると、選択された画像コンテンツ５３２は、強調表示５３４される。画像コンテンツ５３２が選択された状態で、接続ボタン５３６の押下を操作受付部２１８が受け付けると、選択受付部２５６が強調表示５３４された画像コンテンツ５３２を受け付ける（Ｓ２９）。ここでは、富士山の画像コンテンツ５３２が選択されたものとする。そして、接続部２６０が強調表示５３４された画像コンテンツ５３２に対応付けられた接続情報属性に基づき、ウェブサーバ３００のウェブページにアクセスする（Ｓ３１）。ここで、接続情報属性とは、図１の画像コンテンツ１０に紐付けられた接続情報属性１４である。
【００８５】
ウェブサーバ３００では、認証部３１０が接続要求を受け付け、要求されたウェブページが認証が必要な場合、認証情報を要求する。ユーザ携帯端末２００では、接続部２６０が画像コンテンツ５３２に紐付けられている接続情報属性１４に含まれるログイン情報、たとえば、ユーザＩＤおよびパスワードをウェブサーバ３００に送信する（Ｓ３３）。そして、ウェブサーバ３００では、認証部３１０が受信したログイン情報に基づき、ユーザ認証を行い、認証され接続可能な場合（Ｓ４３のＹＥＳ）、アップロード部３１４が接続情報属性で指定されたウェブページをウェブページ記憶部３１２から読み出し、ユーザのユーザ携帯端末２００に送信する（Ｓ４５）。
【００８６】
ユーザ携帯端末２００では、ダウンロード部２６２がウェブページを受信し、閲覧部２６４が閲覧可能に表示部２２０に表示する（Ｓ３５）。図５（ｅ）が特定サイト表示画面５４０の一例を示す図である。特定サイト表示画面５４０は、特定サイトページ５４２を含む。ここでは、富士山の画像コンテンツ５３２に対応付けられた公開限定の富士山特集のウェブページを閲覧することができる。
【００８７】
以上説明したように、本発明の実施形態の画像コンテンツ提供システム１によれば、ウェブサーバ３００の特定ページ３０２にアクセスするための接続情報属性１４を含む画像コンテンツ１０を入手し、その画像コンテンツ１０を表示して鑑賞するだけでなく、画像コンテンツ１０を選択操作するだけで、ウェブサーバ３００の特定ページ３０２にアクセスすることができ、ユーザは各種情報を得ることができる。
【００８８】
（第二の実施の形態）
本発明の実施の形態係る画像コンテンツ提供システム１において、ユーザ携帯端末２００は、画像コンテンツ提供装置１００から取得した画像コンテンツ１０をメールに絵文字として使用することができる。図６は、本実施形態のユーザ携帯端末２００の要部構成を示す図である。
【００８９】
本発明の実施の形態に係る画像コンテンツ提供システム１において、携帯端末装置（ユーザ携帯端末２００）は、画像コンテンツ１０をメールに使用できる絵文字として登録する登録部（画像コンテンツ記憶部２５２）を備える。さらに、登録部（画像コンテンツ記憶部２５２）に登録された画像コンテンツ１０を絵文字として使用したメールまたは画像コンテンツ１０を添付したメールの作成を受け付けるメール編集部２８０と、メールを宛先に送信するメール送信部２９４と、を備える。
【００９０】
また、本実施形態の携帯端末装置（ユーザ携帯端末２００）は、画像コンテンツ１０に転送複製禁止属性（図１の転送禁止属性２６）を付与する属性付与部（転送可否属性付与部２８６）と、転送複製禁止属性が付与された画像コンテンツを他の端末に出力する出力部（メール送信部２９４）と、を含むことができる。これにより、画像コンテンツ提供システム１では、他の端末にて受け取った画像コンテンツ１０の転送または複製を禁止させることができる。
【００９１】
ここで、出力部（図２の無線通信部２０８、赤外線通信部２１２、シリアル通信コネクタ２２６）は、たとえば、赤外線通信、シリアル通信、およびメール送信などにより他の端末に画像コンテンツを出力する。この構成によれば、画像コンテンツをメールなどで他者に送信できるが、受信側では転送および複製が禁止されるので、画像コンテンツの付加価値が増す。ここでの画像コンテンツのメールによる送信は、絵文字としての送信と、メールに添付しての送信の両方を含む。
【００９２】
あるいは、画像コンテンツ提供装置１００（図３）において、画像コンテンツ記憶部（図３の画像コンテンツ格納部１１０）は、画像コンテンツの転送または複製を禁止する転送複製禁止属性（図１の転送禁止属性２６）を含む画像コンテンツ２０（図１）を記憶してもよい。この構成では、画像コンテンツ提供装置１００で予め画像コンテンツの転送または複製を禁止するので、ユーザ携帯端末２００においても他の端末への転送または複製ができないこととなる。
【００９３】
さらに、本実施形態の携帯端末装置（ユーザ携帯端末２００）において、画像コンテンツ１０の接続情報属性１４は、画像コンテンツ１０の転送複製を許可するための所定のサーバの購入申請用ウェブページへの第２の接続情報を含むことができ、出力部（メール送信部２９４）は、購入申請用ウェブページへの第２の接続情報を含む接続情報属性１４を有する画像コンテンツ１０を出力することができる。
【００９４】
また、画像コンテンツ提供装置１００（図３）において、画像コンテンツ記憶部（図３の画像コンテンツ格納部１１０）は、画像コンテンツ１０の転送複製を許可するための購入申請用ウェブページ（不図示）への第２の接続情報を含む接続情報属性１４（図１）を有する画像コンテンツ１０を記憶し、購入申請用ウェブページを記憶する購入申請ページ記憶部（不図示）と、購入申請用ウェブページにアクセスした携帯端末装置（ユーザ携帯端末２００）のユーザ認証を行う認証部（不図示）と、認証された携帯端末装置から画像コンテンツ１０の購入申請を受け付ける購入申請受付部（不図示）と、認証された携帯端末装置のユーザに画像コンテンツ１０の購入料金を課金する課金部（不図示）と、課金部により画像コンテンツ１０に対する課金がなされたとき、当該画像コンテンツの転送複製禁止属性（図１の転送禁止属性２６）を転送複製許可に設定し、認証された携帯端末装置（ユーザ携帯端末２００）に送信する送信部（図３の送信部１１２）と、を備えることができる。
【００９５】
また、本実施形態の画像コンテンツ提供システム１において、ユーザ携帯端末２００から出力された画像コンテンツ２０を受信する端末（図１の他のユーザ端末４００）を含み、端末（図１の他のユーザ端末４００）は、携帯端末装置（ユーザ携帯端末２００）から出力された画像コンテンツ２０を受信する画像コンテンツ受信部（不図示）と、画像コンテンツ受信部が受信した画像コンテンツ２０に転送複製禁止属性（転送禁止属性２６）が付与されているか否かを判別する判別部（不図示）と、転送複製禁止属性が付与されている場合、画像コンテンツ２０の転送または複製を禁止する禁止部と、転送複製禁止属性が付与されていない場合、画像コンテンツの転送または複製を許可する許可部（不図示）と、を含む。
【００９６】
さらに、画像コンテンツ提供システム１において、画像コンテンツ２０の転送複製を許可するための購入申請用ウェブページ（不図示）を記憶する記憶部（不図示）と、購入申請用ウェブページにアクセスした携帯端末装置（ユーザ携帯端末２００）のユーザ認証を行う認証部（不図示）と、認証された携帯端末装置から画像コンテンツ１０の購入申請を受け付ける購入申請受付部（不図示）と、認証された携帯端末装置のユーザに画像コンテンツ１０の購入料金を課金する課金部（不図示）と、課金部により画像コンテンツ１０に対する課金がなされたとき、当該画像コンテンツの転送複製禁止属性（転送禁止属性２６）を転送複製許可に設定し、認証された携帯端末装置に送信する送信部（不図示）と、を含む購入申請用ウェブサーバ（不図示）を備え、画像コンテンツ提供装置１００の提供部（送信部１１２）は、購入申請用ウェブページへの第２の接続情報を含む接続情報属性２４を有する画像コンテンツ２０を携帯端末装置（ユーザ携帯端末２００）に提供し、携帯端末装置（ユーザ携帯端末２００）の出力部（図２の無線通信部２０８、赤外線通信部２１２、シリアル通信コネクタ２２６）は、購入申請用ウェブページへの第２の接続情報を含む接続情報属性２４を有する画像コンテンツ２０を端末（図１の他のユーザ端末４００）に出力し、端末は、携帯端末装置から画像コンテンツ２０を受信する受信部（図２の無線通信部２０８、赤外線通信部２１２、シリアル通信コネクタ２２６）と、画像コンテンツ２０を表示する表示部（図２の表示部２２０、表示制御部２２２）と、画像コンテンツ２０の選択操作を受け付ける受付部（操作部２１６、操作受付部２１８）と、画像コンテンツ２０を選択する操作を受け付けたとき、画像コンテンツ２０の接続情報属性２４に基づいて、購入申請用ウェブサーバ（不図示）にネットワーク（不図示）を介して接続し、購入申請用ウェブページにアクセスする接続部（図２の無線通信部２０８）と、購入申請用ウェブサーバにログインし、画像コンテンツ１０の購入申請を行い、購入料金の支払い手続きをするための操作を受け付け、購入申請用ウェブサーバにネットワークを介して操作を行う操作処理部（図２の操作部２１６、操作受付部２１８、ＣＰＵ２０２、無線通信部２０８）と、画像コンテンツ１０の購入手続きが完了したとき、購入申請用ウェブサーバから転送複製禁止属性が付加されていない画像コンテンツ１０をダウンロードする受信部（図２の無線通信部２０８）と、ダウンロードされた画像コンテンツ１０を記憶するコンテンツ記憶部（図２のメモリ２０４）と、を含む。
【００９７】
具体的には、図６に示すように、ユーザ携帯端末２００は、メール編集部２８０と、メール記憶部２９０と、メール送信指示受付部２９２と、メール送信部２９４と、をさらに備える。
【００９８】
メール編集部２８０は、絵文字選択受付部２８２と、絵文字挿入部２８４と、転送可否属性付与部２８６と、を含む。絵文字選択受付部２８２は、メールを作成する際、候補の絵文字の中からメールに挿入する絵文字をユーザが操作部２１６を操作して選択したとき、選択された絵文字を受け付ける。絵文字挿入部２８４は、絵文字選択受付部２８２が受け付けた絵文字をメールに挿入する。転送可否属性付与部２８６は、選択された絵文字の画像コンテンツ１０に転送禁止属性２６を付与する。たとえば、ＯＭＡ  ＤＲＭ規格に準拠した暗号化処理により複製を禁止させることもできる。
【００９９】
あるいは、たとえば、画像コンテンツ１０がＪＰＥＧ形式のファイルであった場合を例とすると、ＪＰＥＧ形式のデータフォーマットにおけるユーザ領域、例としてマーカ（ＦＦＦＥ）で示されるコメントセグメントや、ＡＰＰセグメント（マーカ：ＦＦＥ０〜ＦＦＥＦ）、あるいは、リザーブセグメント（マーカ：ＦＦＦ０〜ＦＦＦＤ）などに、転送禁止属性２６を記述することができる。
【０１００】
そして、受信側の他のユーザ端末４００では、画像コンテンツ１０がＪＰＥＧ形式のファイルであった場合を例とすると、接続情報取得部２５８は、該当するセグメントのマーカを検出することにより、該当するセグメントを検出し、セグメントに記述されている転送禁止属性２６を取得し、属性に応じて、画像コンテンツの転送または複製の禁止または許可を判断するようにすることもできる。
【０１０１】
図５（ａ）のメニュー画面５００でメール作成メニュー５０６が選択されたとき、メール編集部２８０が機能し、図５（ｆ）のメール作成画面５５０が表示部２２０に表示される。図５（ｆ）の例では、既に、メール本文が途中まで編集されている。メール作成画面５５０は、メッセージ入力欄５５２と、画像ボタン５５４と、確定ボタン５５６と、を含む。
【０１０２】
メール作成画面５５０で、画像ボタン５５４の押下を操作受付部２１８が受け付けると、図５（ｇ）の画像コンテンツ選択画面５６０が表示部２２０に表示され、画像コンテンツ一覧ウィンドウ５６２が開き、複数の画像コンテンツ５６４が表示される。複数の画像コンテンツ５６４の中から一つの画像コンテンツ１０を選択すると、強調表示５６６される。強調表示５６６されている状態で、さらに画像コンテンツ１０を操作部２１６により選択操作すると、絵文字選択受付部２８２が選択された画像コンテンツ１０を受け付け、転送可否属性付与部２８６が選択された画像コンテンツ１０に転送禁止属性２６を付与する。そして、絵文字挿入部２８４がメール本文に絵文字として挿入される。
【０１０３】
図５（ｈ）に示すように、メール作成画面５７０のメッセージ入力欄５７２には、絵文字５７４が挿入されたメッセージが編集されている。ここで、確定ボタン５５６の操作を操作受付部２１８が受け付けると、編集されたメッセージがメール記憶部２９０に格納される。その後、ユーザが操作部２１６を操作してメール送信指示を行うと、メール送信指示受付部２９２が指示を受け付け、メール送信部２９４にメール記憶部２９０に格納されたメッセージを本文として宛先にメールを送信する。メール送信部２９４は、無線通信部２０８に送信指示を行い、無線通信部２０８は、アンテナ２０６を介してネットワーク３に接続し、メールを送信する。
【０１０４】
このように構成された本実施形態の画像コンテンツ提供システム１におけるメール編集時の動作について、以下に説明する。図７は、本実施形態の画像コンテンツ提供システム１におけるメール編集時の動作の一例を示すフローチャートである。以下、図１、図２、図５乃至図７を用いて説明する。
【０１０５】
はじめに、ユーザ携帯端末２００において、メーラ（不図示）を起動する。たとえば、図５（ａ）のメニュー画面５００のメール作成メニュー５０６を選択操作することで、メーラが起動される（Ｓ１０１）。
【０１０６】
ここで、メーラは、携帯端末装置（図１のユーザ携帯端末２００）から出力された画像コンテンツを受信する端末（図１の他のユーザ端末４００）において実行される制御プログラムであって、コンピュータ（図２のＣＰＵ２０２）を、携帯端末装置から送信された画像コンテンツ（画像コンテンツを含むメール）を受信する手段（不図示）、画像コンテンツを受信する手段により受信された画像コンテンツに転送複製禁止属性（図１の転送禁止属性２６）が付与されているか否かを判別する手段（不図示）、転送複製禁止属性が付与されている場合、画像コンテンツ２０の転送または複製を禁止する手段（不図示）、転送複製禁止属性が付与されていない場合、画像コンテンツ１０の転送または複製を許可する手段（不図示）、として機能させるための制御プログラムである。
【０１０７】
図７に戻り、メール編集部２８０がメールの編集操作を受け付け（Ｓ１０３）、メッセージが作成される。このとき、メールに挿入する絵文字が選択されると、絵文字選択受付部２８２が受け付け（Ｓ１０５）、転送可否属性付与部２８６が選択された絵文字の画像コンテンツ１０に転送禁止属性２６を付与する（Ｓ１０７）。そして、メッセージが確定した後、メール送信指示をメール送信指示受付部２９２が受け付け（Ｓ１０９）、メール記憶部２９０に格納されたメールをメール送信部２９４が無線通信部２０８を介して宛先に送信する（Ｓ１１１）。
【０１０８】
以上説明したように、本実施形態の画像コンテンツ提供システム１によれば、絵文字登録された画像コンテンツを使用してメールを作成し、他の端末に送信することができる。さらに、この構成によれば、画像コンテンツをメールで他者に送信できるが、受信側では転送および複製が禁止されるので、画像コンテンツの付加価値が増す。ここでの画像コンテンツの送信は、絵文字としての送信と、メールに添付しての送信の両方を含む。
【０１０９】
また、メール受信者による画像コンテンツの転送または複製を禁止することができる。また、この構成によれば、画像コンテンツを購入することにより、転送または複製を許可することができる。これにより、画像コンテンツによるビジネスが成立する。また、転送複製許可された画像コンテンツは、画像コンテンツを操作すると所定のウェブページにアクセスすることができるようにすることもできる。転送複製禁止属性が付加されていない画像コンテンツをダウンロードし、上書きすることで画像コンテンツの転送複製ができるようになる。
【０１１０】
（第三の実施の形態）
本発明の実施の形態に係る画像コンテンツ提供システム１は、上記実施形態とは、ユーザ携帯端末２００が画像コンテンツ１０を所定のウェブサイトからダウンロードして取得する点で相違する。以下、図１乃至図３を用いて説明する。
【０１１１】
本実施形態の携帯端末装置（図３のユーザ携帯端末２００）は、画像コンテンツ１０（図１）を入手可能なコンテンツ提供ウェブサーバ（図３の画像コンテンツ提供装置１００）のコンテンツ提供ウェブページ（不図示）への接続情報を受け付ける接続情報受付部（図２の無線通信部２０８、赤外線通信部２１２、撮像部２１４）と、接続情報に基づき、コンテンツ提供ウェブサーバのコンテンツ提供ウェブページにネットワーク３（図３）を介してアクセスし、画像コンテンツ１０をダウンロードする画像コンテンツ取得部（図３の受信部２５０、図２の無線通信部２０８）と、を含み、コンテンツ受付部（受信部２５０）は、画像コンテンツ取得部が取得した画像コンテンツを受け付ける。
【０１１２】
本実施形態において、携帯端末装置（図３のユーザ携帯端末２００）は、コンテンツ提供ウェブサーバ（図３の画像コンテンツ提供装置１００）にアクセスするために必要な認証情報の入力を受け付ける認証情報受付部（不図示）を備えることができ、画像コンテンツ取得部（図３の受信部２５０、図２の無線通信部２０８）は、認証情報に基づきコンテンツ提供ウェブサーバにアクセスし、画像コンテンツ１０（図１）をダウンロードすることができる。
【０１１３】
一方、本実施形態の画像コンテンツ提供装置１００（図３）は、接続情報で特定されるコンテンツ提供ウェブページを記憶するコンテンツ提供ページ記憶部（図３の画像コンテンツ格納部１１０）を含むことができ、提供部（図３の送信部１１２）は、携帯端末装置（図３のユーザ携帯端末２００）がコンテンツ提供ウェブページにネットワーク（不図示）を介してアクセスしたとき、携帯端末装置からの要求に応じて、画像コンテンツ１０（図１）をアップロードして提供することができる。
【０１１４】
また、本実施形態において、画像コンテンツ提供装置１００（図３）は、携帯端末装置（図３のユーザ携帯端末２００）に、認証情報を要求し、携帯端末装置から認証情報を受信し、受信した認証情報に基づき携帯端末装置を認証する認証部（不図示）と、を備えることができ、提供部（図３の送信部１１２）は、携帯端末装置が認証されなかったとき、画像コンテンツ１０（図１）の提供を禁止し、認証された携帯端末装置に画像コンテンツ１０を提供することができる。
【０１１５】
また、本実施形態の携帯端末装置（図３のユーザ携帯端末２００）は、記録媒体に記録された接続情報を含む識別記号（二次元バーコード）を読み取る読取部（図２の撮像部２１４）を含み、接続情報受付部（不図示）は、読取部が読み取った識別記号（二次元バーコード）から接続情報を受け付ける。
【０１１６】
ここで、識別記号とは、たとえば、二次元バーコードなどである。通常の携帯電話機などの二次元バーコード読み取り機能を用いて、二次元バーコードが示す接続情報、たとえばＵＲＬを取得することができる。
【０１１７】
さらに、本実施形態の携帯端末装置（図３のユーザ携帯端末２００）は、予めユーザ登録したメールアドレス宛に届いた、接続情報が記述されたメールを受信するメール受信部（図２の無線通信部２０８）と、メール受信部が受信したメールに記述された接続情報の選択操作を受け付け、接続情報を取得する取得部（不図示）と、を含むことができ、接続情報受付部（不図示）は、取得部が取得した接続情報を受け付けることができる。
【０１１８】
本実施形態の画像コンテンツ提供装置１００（図３）は、携帯端末装置（図３のユーザ携帯端末２００）のユーザのメールアドレスの登録を受け付けるアドレス登録受付部（不図示）と、予め登録されたメールアドレス宛に、コンテンツ提供ウェブページへの接続情報を記述したメールを送信するメール送信部（不図示）と、を備えることができる。
【０１１９】
また、携帯端末装置（図３のユーザ携帯端末２００）は、予めユーザ登録したメールアドレス宛に届いた、画像コンテンツ１０（図１）が添付されたメールを受信する添付メール受信部（不図示）を含むことができ、コンテンツ受付部（図３の受信部２５０）は、添付メール受信部が受信したメールに添付された画像コンテンツ１０を受け付けることができる。本実施形態の画像コンテンツ提供装置１００は、携帯端末装置（図３のユーザ携帯端末２００）のユーザのメールアドレスの登録を受け付けるアドレス登録受付部（不図示）と、予め登録されたメールアドレス宛に、画像コンテンツ１０を添付したメールを送信する添付メール送信部（不図示）と、を備えることができる。
【０１２０】
このように構成された本実施形態の画像コンテンツ提供システム１の動作について、以下に説明する。ここでは、ポスター、チラシ、カード、ダイレクトメール、雑誌、書籍、新聞などの印刷物に記録された二次元バーコードから画像コンテンツ１０のダウンロードウェブページのＵＲＬを取得する例について説明する。
【０１２１】
図８は、本実施形態の画像コンテンツ提供システム１の動作の一例を示すフローチャートである。以下、図２、図３、および図８を用いて説明する。
【０１２２】
はじめにユーザ携帯端末２００において、撮像部２１４（図２）が印刷物に記録された二次元バーコードを読み取る（Ｓ２０１）。ここで、二次元バーコードが記録された印刷物は、予めユーザに配布、または、街頭や店舗に掲示されていたり、購入した雑誌などに印刷されていたりするものとする。図示されないバーコード認識部がバーコード認識を行い、ＵＲＬを取得する（Ｓ２０３）。ＵＲＬはユーザ携帯端末２００のメモリ２０４（図２）に後でアクセス可能なように記憶する。ＵＲＬで指定されるウェブページは、パスワードなどによる認証を必要とするものとする。
【０１２３】
認証情報（パスワード）は、ユーザが所定の場所に行ったときに入手可能な情報である。たとえば、パスワードは、実際に店舗など所定の場所でしか入手できないものとする。また、パスワードは、店員から口頭で伝えられてもよいし、店頭に掲示されていてもよいし、パスワードか記入された印刷物を配布してもよい。あるいは、ウェブページでは、所定の場所に関する質問やクイズなどを出題し、所定の場所に出向かなければ知り得ないことを答えに設定し、その答えの入力をユーザに求めるようにしてもよい。
【０１２４】
その後、ユーザが店舗などに出向き、ステップＳ２０３で取得したＵＲＬにアクセスするために必要なパスワードを入手する。そして、ブラウザを用いて、ステップＳ２０３で取得したＵＲＬを指定し、ウェブサーバ３００（図３）にアクセスする（Ｓ２０５）。ウェブサーバ３００からパスワードが要求されるので、入手したパスワードを操作部２１６（図２）を用いて入力し、操作受付部２１８（図２）がパスワードを受け付ける（Ｓ２０７）。
【０１２５】
受け付けたパスワードをウェブサーバ３００に送信し、認証要求する（Ｓ２０９）。ウェブサーバ３００にて認証されると、ダウンロードウェブページを閲覧することができる（Ｓ２１１）。ダウンロードウェブページには、画像コンテンツのダウンロードをユーザができるようなメニューが提供されており、ユーザから所望の画像コンテンツのダウンロード要求を受け付け、受信部２５０（図３）がウェブサーバ３００から画像コンテンツをダウンロードする（Ｓ２１３）。ダウンロードされた画像コンテンツは、画像コンテンツ記憶部２５２（図３）に格納される（Ｓ２１５）。
【０１２６】
以上説明したように、本実施形態の画像コンテンツ提供システム１によれば、二次元バーコードなどを記録した媒体を予め配布しておき、二次元バーコードからＵＲＬを取得し、さらに、店舗などにユーザが出向いたときに、パスワードを入手することができ、ＵＲＬで示されるウェブページにアクセスして画像コンテンツをダウンロードすることができる。
【０１２７】
（第四の実施の形態）
本発明の実施の形態に係る画像コンテンツ提供システム１は、上記実施形態とは、ユーザ携帯端末２００が画像コンテンツ１０を複数収集し、所定の数に達したとき所定のサービスまたは商品と交換できる点で相違する。
【０１２８】
図９は、本発明の実施の形態に係る画像コンテンツ提供システム１のユーザ携帯端末２００の要部構成を示す機能ブロック図である。本実施形態のユーザ携帯端末２００は、画像コンテンツ１０を収集し、コンテンツ記憶部（スタンプ格納部６０４）に記憶する画像収集部（スタンプ受信部６０２）と、所定数の画像コンテンツ１０が収集されたか否かを判定する判定部６０８と、所定数の画像コンテンツ１０が収集されたと判定されるまで、画像コンテンツ１０の接続情報属性１４を無効にするとともに、所定数の画像コンテンツ１０が収集されたと判定されたとき、画像コンテンツの接続情報属性１４を有効にする属性制御部（判定部６０８）と、を備える。
【０１２９】
また、画像コンテンツ提供装置（図３の画像コンテンツ提供装置１００）において、画像コンテンツ記憶部（図３の画像コンテンツ格納部１１０）は、所定数の画像コンテンツが携帯端末装置（図３のユーザ携帯端末２００）にて収集されたときに、接続情報属性１４が有効となる画像コンテンツ１０を記憶し、提供部（図３の送信部１１２）は、画像コンテンツ１０を携帯端末装置に提供する。
【０１３０】
具体的には、ユーザ携帯端末２００は、スタンプ受信部６０２と、スタンプ格納部６０４と、スタンプ一覧表示部６０６と、判定部６０８と、交換指示受付部６１０と、収集結果送信部６１２と、を備える。
【０１３１】
スタンプ受信部６０２は、受信部２５０が受信した画像コンテンツ１０を受信し、スタンプ格納部６０４に格納する。スタンプ一覧表示部６０６は、スタンプ格納部６０４に格納された画像コンテンツ１０の一覧を表示制御部２２２により表示部２２０（図２）に表示する。
【０１３２】
判定部６０８は、スタンプ格納部６０４に格納された画像コンテンツ１０の数が所定数に達したか否かを判定する。所定数に達したと判定されたとき、判定部６０８はスタンプ一覧表示部６０６に所定数に達したことを示す画面を表示させるよう指示する。交換指示受付部６１０は、ユーザから所定数に達したときにユーザに提供される景品、賞金やサービスとの交換指示を受け付ける。収集結果送信部６１２は、交換指示受付部６１０が交換指示を受け付けたことに呼応して、接続情報取得部２５８に景品、賞金やサービスの提供を受けるための指示をサーバに送信するために、サーバのＵＲＬを含む接続情報属性１４を要求する。さらに、収集結果送信部６１２は、取得した接続情報属性１４に基づき、接続部２６０からサーバに接続する。
【０１３３】
このように構成された本実施形態の画像コンテンツ提供システム１のユーザ携帯端末２００の動作について、以下に説明する。図１０は、本実施形態のユーザ携帯端末２００の表示部２２０の画面推移を示す図である。図１１は、本実施形態のユーザ携帯端末２００の動作の一例を示すフローチャートである。以下、図２、図５、図９〜図１１を用いて説明する。
【０１３４】
はじめに、ユーザ携帯端末２００において、本実施形態の画像コンテンツ提供システム１のアプリケーションプログラムが起動され、ＣＰＵ２０２（図２）が実行する（Ｓ２３１）。このアプリケーションプログラムは、コンピュータ（図２のＣＰＵ２０２）を、画像コンテンツ１０を収集し、コンテンツ記憶部（図９のスタンプ格納部６０４）に記憶する手段（図９のスタンプ受信部６０２）、所定数の画像コンテンツ１０が収集されたか否かを判定する手段（図９の判定部６０８）、所定数の画像コンテンツ１０が収集されたと判定されるまで、画像コンテンツ１０の接続情報属性１４を無効にするとともに、所定数の画像コンテンツ１０が収集されたと判定されたとき、画像コンテンツ１０の接続情報属性１４を有効にする手段（図９の判定部６０８）、として機能させるための制御プログラムである。
【０１３５】
このアプリケーションプログラムが起動されたとき、図１０（ａ）のスタンプラリーメニュー画面６３０がユーザ携帯端末２００の表示部２２０に表示される。スタンプラリーメニュー画面６３０は、スタンプ受信メニュー６３２と、スタンプ一覧メニュー６３４と、を含む。ユーザが操作部２１６を操作してスタンプ受信メニュー６３２を選択すると、操作受付部２１８が受け付け、上記実施形態の図５（ｂ）および図５（ｃ）と同様な画面推移を示し、スタンプ受信部６０２が画像コンテンツ１０を受信し（Ｓ２３３）、スタンプ格納部６０４に格納する（Ｓ２３５）。
【０１３６】
また、ユーザが操作部２１６を操作して図１０（ａ）のスタンプラリーメニュー画面６３０のスタンプ一覧メニュー６３４を選択すると、操作受付部２１８が受け付け、図１０（ｂ）のスタンプ一覧画面６４０がユーザ携帯端末２００の表示部２２０に表示される。スタンプ一覧画面６４０は、スタンプ表示部６４２と、スタンプ収集結果表示欄６４４と、交換ボタン６４６と、戻るボタン６４８と、を含む。
【０１３７】
スタンプ表示部６４２には、今までに収集されたスタンプの画像コンテンツ１０が表示される。図では、同じ画像コンテンツ１０であるが、これに限定されない。異なる画像コンテンツ１０であってもよい。複数の画像コンテンツ１０が集まって、初めて一つの意味をなすものであってもよい。
【０１３８】
図１１に戻り、判定部６０８が、所定数の画像コンテンツ１０が収集されたと判定したとき（Ｓ２３７のＹＥＳ）、スタンプ収集結果表示欄６４４には、所定数の画像コンテンツ１０が収集されたことを示すメッセージが表示される（Ｓ２３９）。なお、ステップＳ２３７で所定数の画像コンテンツ１０が収集されていない場合（Ｓ２３７のＮＯ）、ステップＳ２３３に戻り、図１０（ａ）のスタンプラリーメニュー画面６３０に戻り、ユーザからの操作待ちとなる。なお、本アプリケーションプログラムは、ユーザ携帯端末２００の所定の終了操作キー、たとえば、クリアキー、あるいは、スタンプラリーメニュー画面６３０に終了ボタン（不図示）を設け、終了ボタンの操作を操作受付部２１８が受け付けることで終了することができる。
【０１３９】
交換ボタン６４６をユーザが操作部２１６を用いて操作すると、交換指示受付部６１０が交換指示として受け付け、収集結果送信部６１２に交換処理を指示する。戻るボタン６４８の操作を操作受付部２１８が受け付けると、図１０（ａ）のスタンプラリーメニュー画面６３０に戻る。
【０１４０】
交換指示受付部６１０が交換指示を受け付けると（Ｓ２４１）、収集結果送信部６１２が、接続情報取得部２５８に接続情報属性１４を取得させる（Ｓ２４３）。そして、接続部２６０に取得した接続情報属性１４に基づき、サーバに接続させる（Ｓ２４５）。このとき、図１０（ｃ）のサーバ接続画面６５０がユーザ携帯端末２００の表示部２２０に表示される。
【０１４１】
このようにして、接続されたサーバにて、景品、賞金交換手続きや、サービス提供の申し込みなどを行うことができる。
【０１４２】
以上説明したように、本実施形態の画像コンテンツ提供システム１によれば、画像コンテンツをユーザ携帯端末２００にて所定数収集することで、所定のサービスや景品、賞金などとの交換を可能とすることができる。たとえば店舗などで精算毎に配布されたスタンプをユーザ携帯端末２００で収集したり、鉄道会社のスタンプラリーなどのように所定の場所を訪問することでスタンプをユーザ携帯端末２００で収集したりすることで、所定のサービスや景品、賞金などとの交換をすることができるようになる。そのため、ユーザが所定数のスタンプを収集する目的で、店舗や所定の施設に出向いたり、商品を購入したり、スタンプラリーに参加したりする機会が増えることが期待される。
【０１４３】
また、本実施形態の画像コンテンツ提供システム１において、携帯端末装置（ユーザ携帯端末２００）は、所定数の画像コンテンツ１０が収集されたと判定されたとき、その旨をユーザ情報とともに所定の配布元に通知する通知部（不図示）を含むことができ、画像コンテンツ提供システム１は、携帯端末装置から通知されたユーザ情報と、画像コンテンツの収集結果を受け付ける収集結果受付部（不図示）と、収集結果に基づき、携帯端末装置のユーザに画像コンテンツの収集に対する対価として、景品、賞金、サービスなどの提供を許可する許可部（不図示）と、を備えることができる。
【０１４４】
ここで、通知部は、画像コンテンツの配布元の専用端末に対して、各種通信手段を用いて通知することができる。たとえば、赤外線通信、ケーブルを介して有線通信、メール送信などを含む。これにより、配布元では、専用端末にて、収集された画像コンテンツの数が所定数に達したことを認識でき、所定数に応じた景品や賞金、サービスをユーザに提供することが可能となる。専用端末は、収集結果に基づき、画像コンテンツの数量を判別し、数量に応じた景品や賞金、サービスをユーザに提供することが可能となる。たとえば、予めユーザ登録されたユーザのポイントを記憶するポイント記憶部（不図示）を設け、収集結果に基づき所定のポイントを付与してもよい。また、収集結果に基づき、所定の景品やサービスの交換チケットを発行したり、予め登録されたメールアドレスへ送信したり、予め登録されたユーザの住所に景品や賞金を配送するよう指示を出したりすることができる。
【０１４５】
画像コンテンツ提供装置１００は、インターネットなどのネットワーク（不図示）に接続され、画像コンテンツ１０をダウンロードできるウェブサイトを提供することで、ユーザ携帯端末２００に画像コンテンツ１０をダウンロードさせることができる。このとき、ウェブサイトへのアクセス情報、たとえば、ＵＲＬは、ポスター、チラシ、カード、ダイレクトメール、雑誌、書籍などの印刷物に印刷された二次元バーコードをユーザ携帯端末２００が読み取ることや、赤外線通信や、メールに記載されたリンクなどにより取得することができる。
【０１４６】
以上、図面を参照して本発明の実施形態について述べたが、これらは本発明の例示であり、上記以外の様々な構成を採用することもできる。
【図面の簡単な説明】
【０１４７】
【図１】本発明の実施の形態の画像コンテンツ提供システムの概念を説明するための図である。
【図２】本実施形態のユーザ携帯端末の構成を示すブロック図である。
【図３】本実施形態の画像コンテンツ提供システムの各装置の構成を示す機能ブロック図である。
【図４】本実施形態の画像コンテンツ提供システムの動作の一例を示すフローチャートである。
【図５】本実施形態の画像コンテンツ提供システムのユーザ携帯端末の表示部の画面推移を示す図である。
【図６】本実施形態のユーザ携帯端末の要部構成を示す図である。
【図７】本実施形態の画像コンテンツ提供システムにおけるメール編集時の動作の一例を示すフローチャートである。
【図８】本実施形態の画像コンテンツ提供システムの動作の一例を示すフローチャートである。
【図９】本発明の実施の形態に係る画像コンテンツ提供システムのユーザ携帯端末の要部構成を示す機能ブロック図である。
【図１０】本実施形態のユーザ携帯端末の表示部の画面推移を示す図である。
【図１１】本実施形態のユーザ携帯端末の動作の一例を示すフローチャートである。
【符号の説明】
【０１４８】
１  画像コンテンツ提供システム
３  ネットワーク
１０  画像コンテンツ
１２  画像データ
１４  接続情報属性
２０  画像コンテンツ
２４  接続情報属性
２６  転送禁止属性
１００  画像コンテンツ提供装置
１１０  画像コンテンツ格納部
１１２  送信部
２００  ユーザ携帯端末
２０２  ＣＰＵ
２０４  メモリ
２０６  アンテナ
２０８  無線通信部
２１０  赤外線用アンテナ
２１２  赤外線通信部
２１４  撮像部
２１６  操作部
２１８  操作受付部
２２０  表示部
２２２  表示制御部
２２４  シリアル通信部
２２６  シリアル通信コネクタ
２３２  バス
２５０  受信部
２５２  画像コンテンツ記憶部
２５４  コンテンツ一覧表示部
２５６  選択受付部
２５８  接続情報取得部
２６０  接続部
２６２  ダウンロード部
２６４  閲覧部
２８０  メール編集部
２８２  絵文字選択受付部
２８４  絵文字挿入部
２８６  転送可否属性付与部
２９０  メール記憶部
２９２  メール送信指示受付部
２９４  メール送信部
３００  ウェブサーバ
３０２  特定ページ
３１０  認証部
３１２  ウェブページ記憶部
３１４  アップロード部
４００  ユーザ端末
６０２  スタンプ受信部
６０４  スタンプ格納部
６０６  スタンプ一覧表示部
６０８  判定部
６１０  交換指示受付部
６１２  収集結果送信部
【図１】
2008171081.tif 000003
【図２】
2008171081.tif 000004
【図３】
2008171081.tif 000005
【図４】
2008171081.tif 000006
【図５】
2008171081.tif 000007
【図６】
2008171081.tif 000008
【図７】
2008171081.tif 000009
【図８】
2008171081.tif 000010
【図９】
2008171081.tif 000011
【図１０】
2008171081.tif 000012
【図１１】
2008171081.tif 000013